【事件の表示】
　特許第６０７５３６４号発明「印刷装置及び印刷出力方法」の特許異議申立事件について、次のとおり決定する。
【結　論】
　特許第６０７５３６４号の明細書及び特許請求の範囲を訂正請求書に添付された訂正明細書及び特許請求の範囲のとおり、訂正後の請求項〔１−７〕、８について訂正することを認める。
　特許第６０７５３６４号の請求項１ないし８に係る特許を維持する。
【理　由】
第１　手続の経緯
　特許第６０７５３６４号の請求項１〜８に係る特許についての出願は、平成１９年１月９日に出願された特願２００７−１７３１号の一部を数次の分割を経て平成２６年１２月８日に新たな特許出願としたものであって、平成２９年１月２０日にその特許権の設定登録がされ、その後、その特許について、特許異議申立人キヤノン株式会社により特許異議の申立てがされ、平成２９年１０月２日付けで取消理由が通知され、平成２９年１２月４日に意見書の提出及び訂正の請求があり、その訂正の請求に対して特許異議申立人キヤノン株式会社から平成３０年１月１２日付けで意見書が提出されたものである。
　　
第２　訂正の適否についての判断
１　訂正の内容
　本件訂正請求による訂正の内容は以下の（１）、（２）のとおりである。なお、以下の訂正事項の番号は、本件訂正請求における訂正事項の番号とした。
　　
（１）請求項１〜７に係る訂正
ア　訂正事項１
　特許請求の範囲の請求項１に「印刷設定画面を表示させるためのボタン」と記載されているのを、「印刷設定画面を表示させるためのボタン
であり前記一覧画面に表示されたファイルの一覧の中から印刷させるファイルを決定するための前記ボタン
　　
イ　訂正事項２
　特許請求の範囲の請求項１に「前記印刷設定として少なくとも両面印刷の設定に係る入力を受け付ける前記印刷設定画面」と記載されているのを、「前記
一覧画面で選択されたファイルの
片面印刷か
か
　　
ウ　訂正事項５
　明細書の段落【０００５】の「印刷設定画面を表示させるためのボタン」と記載されているのを、「印刷設定画面を表示させるためのボタン
であり前記一覧画面に表示されたファイルの一覧の中から印刷させるファイルを決定するための前記ボタン
　　
エ　訂正事項６
　明細書の段落【０００５】の「前記印刷設定として少なくとも両面印刷の設定に係る入力を受け付ける前記印刷設定画面」と記載されているのを、「前記
一覧画面で選択されたファイルの
片面印刷か
か
　　
（２）請求項８に係る発明
ア　訂正事項３
　特許請求の範囲の請求項８に「印刷設定画面を表示させるためのボタン」と記載されているのを、「印刷設定画面を表示させるためのボタン
であり前記一覧画面に表示されたファイルの、一覧の中から印刷させるファイルを決定するための前記ボタン
　　
イ　訂正事項４
　特許請求の範囲の請求項８に「前記印刷設定として少なくとも両面印刷の設定に係る入力を受け付ける前記印刷設定画面」と記載されているのを、「前記
一覧画面で選択されたファイルの
片面印刷か
か
　　
２　訂正の目的の適否、一群の請求項、新規事項の有無、及び特許請求の範囲の拡張・変更の存否
（１）請求項１〜７に係る訂正
ア　訂正事項１
　明細書の発明の詳細な説明の段落【００７６】、【００８０】には、
「【００７６】
　図１３は、タッチパネル６００上に表示されるサムネイル画像の一覧の例を示した図である。図１３に示すように、表示処理部５０４は、サムネイル画像データ毎に、ファイル名及び当該画像データの作成日を表示する。これらのデータはフォルダデータ取得部５１３が外部装置から取得したものとする。そして、使用者がサムネイル画像を選択すると、表示処理部５０４は、チェックしたことを示すチェックマーク（例えばチェックマーク１３０１）を表示する。そして、選択部５０５が、使用者が選択したサムネイル画像の生成元の画像データを、印刷対象として選択する。」
「【００８０】
　図９に戻り、使用者が、図１３又は図１４で示した画面から、所望のサムネイルを選択して「ＯＫ」ボタンを選択すると、表示処理部５０４は、タッチパネル６００上に図１５に示すようなメイン画面を表示する（ステップＳ８）。このメイン画面には、表示態様（例えばキーの色など）が変化した「電子文書」キー９９’が表示され、電子データを取得済みであることを使用者に認識させることができる。続いて、使用者は、上記取得した電子データを印刷処理する場合には、図７や図８に示すメイン画面と同様に、出力用紙の選択や、印刷カラーの選択等を行い、通常の印刷設定と同じ設定を行う。これにより、印刷部５０６が、使用者が選択したサムネイル画像に係る画像データである本画像データを印刷出力することができる。」
と記載があり、この記載によると、使用者がサムネイル画像の一覧から、所望のサムネイルを選択して「ＯＫ」ボタンを選択すると、通常の印刷設定と同じ設定を行うメイン画面（印刷設定画面）が表示されるから、明細書には、「印刷設定画面を表示させるためのボタンであり前記一覧画面に表示されたファイルの一覧の中から印刷させるファイルを決定するための前記ボタン」が記載されていると認められる。
　異議申立人は、意見書において、「一覧画面に表示されたファイルの一覧の中から印刷させるファイルを決定するための」「ボタン」に対応するのはサムネイル画像であり、「ＯＫ」ボタンではないと主張している。しかしながら、上記のとおり、明細書記載の「ＯＫ」ボタンは、選択されたサムネル画像を決定するためのボタンであるから、異議申立人の主張は採用できない。
　訂正事項１の訂正は、明細書に記載された事項の範囲内において「印刷設定画面を表示させるためのボタン」を限定したものといえるから、特許請求の範囲の限定を目的とするものであって、新規事項の追加に該当せず、また、実質上特許請求の範囲を拡張し、又は変更するものではない。
　　
イ　訂正事項２
　明細書の発明の詳細な説明の段落【００４９】には、「読取原稿及び出力用紙がそれぞれ片面印刷か両面印刷かの選択を受け付ける両面受付領域８８」と記載され、図７には、領域「８８」が示されている。さらに、段落【００８０】には、「図９に戻り、使用者が、図１３又は図１４で示した画面から、所望のサムネイルを選択して「ＯＫ」ボタンを選択すると、表示処理部５０４は、タッチパネル６００上に図１５に示すようなメイン画面を表示する（ステップＳ８）。このメイン画面には、表示態様（例えばキーの色など）が変化した「電子文書」キー９９’が表示され、電子データを取得済みであることを使用者に認識させることができる。続いて、使用者は、上記取得した電子データを印刷処理する場合には、図７や図８に示すメイン画面と同様に、出力用紙の選択や、印刷カラーの選択等を行い、通常の印刷設定と同じ設定を行う。これにより、印刷部５０６が、使用者が選択したサムネイル画像に係る画像データである本画像データを印刷出力することができる。」と記載されている。
　そうすると、明細書には、「前記
一覧画面で選択されたファイルの
片面印刷か
か
　異議申立人は、意見書において、「外部装置の」「フォルダに格納されているファイルの一覧の中から」「印刷装置で印刷させるファイルの選択を受け付ける」「一覧画面で選択されたファイルの印刷設定として少なくとも片面印刷か両面印刷化の設定に係る入力を受け付ける前記印刷設定画面」の根拠となる記載はないと主張しているが、上記のとおりであり、異議申立人の主張は採用できない。
　訂正事項２の訂正は、明細書に記載された事項の範囲内において「前記印刷設定として少なくとも両面印刷の設定に係る入力を受け付ける前記印刷設定画面」を限定したものといえるから、特許請求の範囲の限定を目的とするものであって、新規事項の追加に該当せず、また、実質上特許請求の範囲を拡張し、又は変更するものではない。
　　
ウ　訂正事項５、６
　訂正事項５、６は、訂正事項１、２の訂正により特許請求の範囲の限定がされたされたことに伴い、明細書の記載を特許請求の範囲の記載と整合を図るための訂正であって、明瞭でない記載の釈明を目的とするものである。
　また、新規事項の追加に該当せず、さらに、実質上特許請求の範囲を拡張し、又は変更するものではない。
　　
エ　一群の請求項
　上記訂正事項１、２、５、６は、一群の請求項に対して請求されたものである。
　　
（２）請求項８に係る訂正
　請求項８は、請求項１に係る発明のカテゴリーが異なる発明であり、訂正事項３、４は、上記訂正事項１、２と同じである。
　したがって、訂正事項３、４は、上記訂正事項１、２と同じ理由で、特許請求の範囲の限定を目的とするものであって、新規事項の追加に該当せず、また、実質上特許請求の範囲を拡張し、又は変更するものではない。
　　
（３）小括
　以上のとおりであるから、本件訂正請求による訂正は特許法第１２０条の５第２項第１号又は第３号に掲げる事項を目的とするものであり、かつ、同条第４項、及び、同条第９項において準用する同法第１２６条第４項から第６項までの規定に適合するので、訂正後の請求項１〜８について訂正を認める。
　　
第３　特許異議の申立てについて
１　本件発明
　本件訂正請求により訂正された訂正請求項１〜８（以下「本件発明１」〜「本件発明８」という。）は、その特許請求の範囲の請求項１〜８に記載された次の事項により特定されるとおりのものである。
　ただし、（１Ａ）〜（８Ｅ）は当審で付与した。以下各構成要件を「構成要件１Ａ」等という。
　　
（本件発明１）
（１Ａ）ファイルを格納可能なフォルダを有する外部装置とネットワークを介して接続可能であり、タッチパネルを含む操作部を有する印刷装置であって、
（１Ｂ）前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタンであり前記一覧画面に表示されたファイルの一覧の中から印刷させるファイルを決定するための前記ボタンを含む前記一覧画面を、前記タッチパネル上に表示させる第１の表示手段と、
（１Ｃ）前記一覧画面上に表示されているファイルの一覧の中から印刷させるファイルの選択を受け付けた後、前記一覧画面に含まれる前記ボタンが選択されたことに応じて、前記一覧画面で選択されたファイルの印刷設定として少なくとも片面印刷か両面印刷かの設定に係る入力を受け付ける前記印刷設定画面を、前記タッチパネル上に表示させる第２の表示手段と、
（１Ｄ）前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段と、
（１Ｅ）を有することを特徴とする印刷装置。
　　
（本件発明２）
（２Ａ）前記フォルダの選択を受け付ける選択受付画面を前記タッチパネル上に表示させる第３の表示手段をさらに有し、
（２Ｂ）前記選択受付画面で前記フォルダの選択を受け付けると、前記第１の表示手段が前記一覧画面を前記タッチパネル上に表示させること
（２Ｃ）を特徴とする請求項１に記載の印刷装置。
　　
（本件発明３）
（３Ａ）前記一覧画面は、前記外部装置の前記フォルダに格納されているファイル名の一覧を表示する画面であり、該ファイル名の一覧の中から前記印刷装置で印刷させるファイルの選択を受け付ける画面であること
（３Ｂ）を特徴とする請求項１又は２に記載の印刷装置。
　　
（本件発明４）
（４Ａ）前記一覧画面には、それぞれのファイルの作成日時が含まれていること
（４Ｂ）を特徴とする請求項１乃至３のいずれか一項に記載の印刷装置。
　　
（本件発明５）
（５Ａ）前記ネットワークは、インターネットであること
（５Ｂ）を特徴とする請求項１乃至４のいずれか一項に記載の印刷装置。
　　
（本件発明６）
（６Ａ）前記外部装置の前記フォルダは、少なくともＪＰＥＧ形式のファイルを含むこと
（６Ｂ）を特徴とする請求項１乃至５のいずれか一項に記載の印刷装置。
　　
（本件発明７）
（７Ａ）前記外部装置の前記フォルダは、少なくともプレゼンテーションファイル形式のファイルを含むこと
（７Ｂ）を特徴とする請求項１乃至６のいずれか一項に記載の印刷装置。
　　
（本件発明８）
（８Ａ）ファイルを格納可能なフォルダを有する外部装置とネットワークを介して接続可能であり、タッチパネルを含む操作部を有する印刷装置における、ファイルの印刷出力方法であって、
（８Ｂ）前記印刷装置が、前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタンであり前記一覧画面に表示されたファイルの一覧の中から印刷させるファイルを決定するための前記ボタンを含む前記一覧画面を、前記タッチパネル上に表示させる第１の表示ステップと、
（８Ｃ）前記印刷装置が、前記一覧画面上に表示されているファイルの一覧の中から印刷させるファイルの選択を受け付けた後、前記一覧画面に含まれる前記ボタンが選択されたことに応じて、前記一覧画面で選択されたファイルの印刷設定として少なくとも片面印刷か両面印刷かの設定に係る入力を受け付ける前記印刷設定画面を、前記タッチパネル上に表示させる第２の表示ステップと、
（８Ｄ）前記印刷装置が、前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷ステップと、
（８Ｅ）を有する印刷出力方法。
　　
２　取消理由の概要
　訂正前の請求項１〜８に係る特許に対して平成２９年１０月２日付けで特許権者に通知した取消理由の要旨は、次のとおりである。
　　
（１）請求項１〜５、８に係る特許は、甲第１号証に記載された発明である、又は甲第１号証に記載された発明に基づき、容易に発明をすることができたものであるから、特許法第２９条第１項第３号に該当し、又は同条第２項の規定により特許を受けることができないものであり、請求項１〜５、８に係る特許は、取り消されるべきものである。
　請求項６〜７に係る特許は、甲第１号証に記載された発明及び甲第２号証に記載された発明、又は甲第３号証に記載された発明に基づき、容易に発明をすることができたものであるから、特許法第２９条第２項の規定により特許を受けることができないものであり、請求項６〜７に係る特許は、取り消されるべきものである。
　　
（２）請求項１〜８に係る特許は、甲第２号証に記載された発明及び甲第３号証に記載された発明に基づき、容易に発明をすることができたものであるから、特許法第２９条第２項の規定により特許を受けることができないものであり、請求項１〜８に係る特許は、取り消されるべきものである。
　　
３　甲号証の記載及び甲号証に記載された発明
（１）甲第１号証
　甲第１号証（特開２００１−３５２４１９号公報。以下「甲１」という。）には、「画像形成システム」（発明の名称）に関し、図面と共に次に掲げる事項が記載されている（下線は当審が付与した。）。
　　
「【０００１】
【発明の属する技術分野】本発明は、特にネットワーク通信機能及び電子ソート機能を備えたデジタル複写機等の画像形成装置を有する画像形成システムに関するものである。」
　　
「【００３５】また、パーソナルボックスプリントにおいて、例えばＴＣＰ／ＩＰプロトコルで他のデジタル複写機のネットワークインターフェイス部７と通信し、他のデジタル複写機のコア部１０を通じ、
他のデジタル複写機のリーダ部１の画像処理部２１１内における図５の画像記憶部２５５のハードディスク２５７内のパーソナルボックスにある原稿を読み出し
原稿画像をＴＣＰ／ＩＰプロトコルで受け取る
【００３６】上記他の
デジタル複写機から受け取った原稿画像は、ネットワークインターフェイス部７から受け取り
プリントアウトする
　　
「【００４７】図６は
操作部５００
【００４８】この画面は
タッチパネル
　　
「【００８１】７０１はアプリケーションソフト上の印刷ウインドウであり、アプリケーションのメニューで印刷を指定したときに表示されるウインドウである。７０２は現在設定されているプリンタ名、例えば本実施例の場合はネットワーク接続されるデジタル複写機名である。
７０３は印刷範囲の設定欄
【００８２】
７０５は部数の設定欄
７１０はパーソナルボックス指定欄
【００８３】７０６はパーソナルボックスの設定ボタンであり、後述するパーソナルボックス番号の指定等を行う。７０９は詳細ボタンであり、例えば印刷する解像度等を設定する。７０７はＯＫボタンであり、設定が完了し、印刷を開始するかあるいは指定したパーソナルボックス番号へ文書の転送を開始する。７０８はキャンセルボタンであり、印刷あるいはパーソナルボックスの設定を無効にし、印刷ウインドウ７０１を閉じる場合に押す。
【００８４】図１１はＰＣ／ＷＳ１１においてアプリケーションソフト上で文書データを印刷、あるいはパーソナルボックスを指定しようとするときの印刷ウインドウ７０１において、パーソナルボックスの設定ボタン７０６を押したときに開くパーソナルボックスウインドウの様子を示す図である。
【００８５】７２０は上述のパーソナルボックスのウインドウであり、アプリケーションソフトの文書データをデジタル複写機の電子ソータのハードディスク上にあるパーソナルボックスのどの番号に格納するか、またユーザが後でデジタル複写機の前でその文書データを印刷する場合にどのように印刷するのかのコピーモードの設定を行う。
【００８６】
７２１は格納ボックス番号の指定欄
【００８７】
７２３は片面印刷設定欄
【００８８】
７２５はノンソート設定欄
７２６はソート設定欄
７２７はソート設定欄
【００８９】
７２８は用紙設定欄
７２９は給紙段設定欄
【００９０】
７３２は詳細設定ボタン
２ｉｎ１，４ｉｎ１などの縮小レイアウト
　　
「【０１０７】また、表示欄８２４では、
３月１１日の２１：１４
「Ｂ会議資料」
このラインをタッチすることにより、図示のように、このジョブのライン表示が反転する。
【０１０８】
８１６は詳細情報キーであり、上記反転させたラインのジョブの詳細を表示する
このキー８１６を押すと、ホスト装置のアプリケーションの印刷ウインドウで設定した情報
ジョブ情報が詳細に表示される
４ｉｎ１コピー
【０１０９】
８１７はプリントキーであり、反転したラインのジョブのラスターイメージで保存されている印刷データ
図１０，図１１で指定した印刷ジョブ設定内容（詳細情報キー８１６で表示される）
プリントを開始する
【０１１０】図１５は図１２のメイン画面８０１で他の機器キー８０５を押した後、他の機器のパーソナルボックスの内容を覗き、そこから原稿画像データをプリントするための設定画面を示す図であり、
ユーザがホスト装置からＰＤＬデータを総務課ＧＰのパーソナルボックスに投入し
営業１課ＧＰからネットワーク経由で総務課ＧＰのパーソナルボックスを覗き、営業１課ＧＰのプリンタにプリントしようとするときの営業１課ＧＰの操作部
　　
「【０１２０】また、
ボックスを選んだ後は、図１３，図１４，図１５で説明した操作フローとなり、ホスト装置から総務課ＧＰのパーソナルボックスに対して投入したＰＤＬ展開データを営業１課ＧＰの操作部５００からプリントキー８１７を押したタイミングで引き出し、営業１課ＧＰのプリンタでプリントすることができる
　　
「【０１２８】図１６において、
総務課ＧＰのボックスを選択した後は、Ｓ１０２と同じステップをたどる。但し、Ｓ１０３でのボックス選択画面は図１６の画面であり、営業１課ＧＰの操作部５００から総務課ＧＰのパーソナルボックスの内容をネットワーク経由で覗いている様子となる
　　
「【図１０】
」
「【図１１】
」
「【図１４】
」
　　
　甲１の段落【００３５】、【００３６】によると、甲１記載の画像形成装置は、原稿画像（画像データ）を格納するパーソナルボックスを備える他のデジタル複写機１３（外部装置）とネットワークを介して通信可能である。
　甲１の段落【００４７】、【００４８】によると、甲１記載の画像形成装置の操作部５００はタッチパネルを備える。
　甲１の図１４によると、甲１記載の画像形成装置の操作部５００で選択されたパーソナルボックスの内容を表示する表示画面８３０には、パーソナルボックスに格納された文書（画像データ）の一覧（表示欄８２３、８２４）が配置される。
　甲１の段落【０１２０】、【０１２８】によると、甲１記載の画像形成装置における自装置内のパーソナルボックスの操作と、他装置内のパーソナルボックスの操作とは、パーソナルボックスに格納された文書の違いを除き共通である。
　甲１の図１４によると、甲１記載の画像形成装置の操作部５００の表示画面８３０には、詳細情報キー８１６が配置されている。
　甲１の段落【０１０８】によると、甲１記載の画像形成装置の操作部５００の表示欄８２３、８２４で、文書を選択し、詳細情報キー８１６を選択することで、表示画面８３０には、文書の詳細情報が画面に表示され、詳細情報には、図１０、図１１で指定されている印刷ジョブ設定内容が含まれる。
　甲１の段落【００８１】〜【００９０】によると、図１０、図１１では、甲１記載の画像形成装置の印刷ジョブの設定内容は、印刷範囲、部数、通常印刷／ボックス、ボックス番号、片面／両面印刷、ソート／ノンソート、用紙サイズ、給紙段、縮小レイアウトに関する設定である。
　甲１の段落【０１０８】によると、甲１記載の画像形成装置の操作部５００の表示欄８２３、８２４で、文書を選択し、詳細情報キー８１６を選択することで，ジョブ情報の変更を行うことができる。
　甲１の段落【０１０９】によると、甲１記載の画像形成装置は、表示画面８３０のプリントキー８１７を選択することで、文書の印刷を開始できる。
　　
　以上によると、甲１には、次の発明（以下「甲１発明１」という。）が記載されていると認められる。
　　
（甲１発明１）
（１−１ａ）画像データを格納可能なパーソナルボックスを有する外部装置（１３）とネットワークを介して接続可能であり、タッチパネルを含む操作部（５００）を有する印刷装置であって、
（１−１ｂ）前記外部装置（１３）の前記パーソナルボックスに格納されている画像データの一覧（８２３、８２４）の中から前記印刷装置で印刷させる画像データの選択を受け付ける一覧画面（８３０）であって、
印刷設定の変更が可能なジョブ詳細情報の画面を表示させるための詳細情報キー（８１６）を含む前記一覧画面（８３０）を、前記タッチパネル上に表示させる第１の表示手段と、
（１−１ｃ）前記一覧画面（８３０）上に表示されている原稿データの一覧の中から印刷させる画像データの選択を受け付けた後、前記一覧画面（８３０）に含まれる前記ボタン（８１６）が選択されたことに応じて、前記印刷設定として少なくとも片面印刷か両面印刷かの設定に係る入力を受け付ける前記印刷設定画面を、前記タッチパネル上に表示させる第２の表示手段と、
（１−１ｄ）前記タッチパネル上に表示されたジョブ詳細情報の画面に対する印刷設定の入力を受け付けた後、前記操作部（５００）上でのプリントキー（８１７）の選択に応じて、前記外部装置（１３）の有する前記パーソナルボックスに格納された画像データのうちの選択された画像データを、入力を受け付けた前記印刷設定に基づいて印刷出力する印刷手段と、
（１−１ｅ）を有することを特徴とする印刷装置。
　　
（（１−１ａ）〜（１−１ｅ）は、甲１発明１の構成を識別するために付与した。以下各構成を「構成１ａ」等という。）
　　
（２）甲第２号証
　甲第２号証（特開２００４−２２２２０２号公報。以下「甲２」という。）には、「画像形成装置及び画像形成方法」（発明の名称）に関し、図面と共に次に掲げる事項が記載されている（下線は当審が付与した。）。
　　
「【０００１】
【発明の属する技術分野】本発明は、
ネットワーク機能を備えた画像形成装置
　　
「【００４８】初めに、図１０のフローチャートにおいて、電源が投入された複合型画像形成装置であるデジタルカラー複写機は、
コントロールパネル４０
タッチパネル操作等
ファイリング（ネットワーク）画面を表示するべく、例えば、インタフェース部１２２，１２３を用いて、ネットワーク上の各機器１２４−１〜１２４−ｎの識別情報が収集される
【００４９】この操作画面は、図１の操作画面Ｓ１１が示すものであり、更に、図３のファイリング初期画面Ｓ２１の一例が示すものである。ファイリング初期画面Ｓ２１において、ネットワーク上の機器であるＭＦＰ＿００１と、共用ノートＰＣと、個人用のノートＰＣとが、ツリー状の構造として示されており、更に、それに続くネットワーク上の機器が、操作により参照可能な情報として用意されている。更に、この画面では、
ＭＦＰ＿００１が有するフォルダとして、『Ａフォルダ』と、『Ｂフォルダ』、『ＶＣＩフォルダ』が示されている。
『Ｂフォルダ』が有しているファイルの一部が画面表示
『操作画面説明．ｐｐｔ』
　　
「【００５２】すなわち、印刷の場合、ネットワーク上の
一つの機器の一つのフォルダがユーザによるタッチパネル操作等により選択され、更に、一つのファイルが操作画面Ｓ１２のように選択されると、次に、印刷のための様々なパラメータ、例えば、両面片面印刷、用紙サイズ、拡大縮小倍率、オートカラー・フルカラー・ブラック等の印字モード、４ｉｎ１等の応用モード等のパラメータが設定画面Ｓ１３のようにユーザによるタッチパネル操作等により又はデフォルトとして設定される。
【００５３】図４においては、ユーザによりコントロールパネル上で選択されたネットワーク上の機器と通信を確立し（Ｓ３６）、この機器に格納されている特定のファイル内の画像情報を取り込む（Ｓ３７）。この時、図４に示すように、
片面→片面として、
【００５４】すなわち、印刷結果は４ｉｎ１として印刷する前に表示されるため、ユーザは印刷する以前に自分の設定したパラメータによる印刷結果を知ることにより、更に、パラメータ、例えば、印字モードをオートカラーからフルカラーに変更したり、縮小率を微調整する等の操作が可能である。そして、パラメータを変更する度に、変更後のパラメータに応じる印刷結果がメインＣＰＵ３１及び又はパネルＣＰＵ４１の働きにより予測されて設定画面Ｓ２２として表示される。
【００５５】ここで、図４の操作画面Ｓ２２上に示される“Ｎｉｎ１”とは、一枚の用紙（記録媒体）上に、例えば、４枚分の原稿画像を縮小して合成し印刷する印刷モードの一つをいう。これは、４ｉｎ１に限らず、２ｉｎ１、８ｉｎ１等の設定が可能であり、更に、
両面印刷を併せることにより、印刷用紙を非常に少なくすることが可能
【００５６】その後、
スタートボタンを押下することにより、取り込んだ画像情報を与えられた条件でプリンタ部２の働きにより用紙上に印刷し出力する
【００５７】これにより、ユーザは、ネットワーク上のどこに格納されている画像情報に対しても、操作パネル上でネットワークのツリー構造を表示しながら、ネットワーク構造を容易に理解し、更に、直感的な操作によりネットワーク上の特定の機器及び特定のファイルを指定することができる。このように容易に操作したファイルの画像情報について、例えば、４ｉｎ１等の所望の印刷仕様により、事前に印刷結果を確認した上で印刷することが可能となる。従って、
ネットワーク上に存在する画像情報を自由に選択し、又、所望の印刷仕様により、印刷することができる
　　
「【図３】
」
「【図４】
」
「【図６】
」
　　
　甲２の段落【００４９】によると、甲２記載の画像形成装置は、ファイルを格納するフォルダを備えるネットワーク上の機器（１２４−１〜１２４−ｎ）とネットワークを介して通信可能である。
　甲２の段落【００４８】〜【００５０】及び図３によると、甲２記載の画像形成装置のコントロールパネル４０は、タッチパネル操作でき、画像形成装置の液晶表示部４２の操作画面には、ネットワーク上の機器内のフォルダと、フォルダ内に格納されたファイルの一部を一覧で表示する。図３の画面は、一覧画面といえる。
　甲２の段落【００５２】及び図４によると、甲２記載の画像形成装置は、ユーザによるタッチパネル操作等により、一覧画面から印刷するファイルを選択することができ、また、選択したファイルの印刷設定を設定画面で設定でき、印刷設定の項目は両面印刷を含む。
　甲２の段落【００５６】によると、甲２記載の画像形成装置は、ユーザによるスタートボタン３１９の押下げにより印刷が開始される。
　　
　以上によると、甲２には、次の発明（以下「甲２発明１」という。）が記載されていると認められる。
　　
（甲２発明１）
（２−１ａ）ファイルを格納可能なフォルダを有する外部装置（１２４−１〜１２４−ｎ）とネットワークを介して接続可能であり、タッチパネルを含むコントロールパネル（４０）を有する印刷装置であって、
（２−１ｂ）前記外部装置(１２４−１ 〜１２４−ｎ)の前記フォルダに格納されているファイルの一覧の中から前記印刷装置で印刷させるファイルの選択を受け付ける一覧画面であって、
前記一覧画面を、前記タッチパネル上に表示させる第１の表示手段と、
（２−１ｃ）前記一覧画面上に表示されているファイルの一覧の中から印刷させるファイルの選択を受け付けた後、前記印刷設定として少なくとも両面印刷の設定に係る入力を受け付ける前記印刷設定画面を、前記タッチパネル上に表示させる第２の表示手段と、
（２−１ｄ）前記タッチパネル上に表示された前記印刷設定画面に対する印刷設定の入力を受け付けた後、前記操作部上でのスタートボタンの押下に応じて、前記外部装置（１２４−１〜１２４−ｎ）の有する前記ファイルのうちの選択されたファイルを、入力を受け付けた前記印刷設定に基づいて印刷出力する印刷手段と、
（２−１ｅ）を有することを特徴とする印刷装置。
　　
（（２−１ａ）〜（２−１ｅ）は、甲２発明１の構成を区別するために付与した。）
　　
（３）甲第３号証
　甲第３号証（特開２００５−１６１７２８号公報。以下「甲３」という。）には、「画像形成装置、情報端末装置、画像形成方法、コンピュータプログラム、及びコンピュータ読み取り可能な記録媒体」（発明の名称）に関し、図面と共に次に掲げる事項が記載されている（下線は当審が付与した。）。
　　
「【０００１】
　本発明は、画像形成装置、情報端末装置、画像形成方法、コンピュータプログラム、及びコンピュータ読み取り可能な記録媒体に関し、特に、
外部デバイスに格納されているファイルをダイレクトプリントする
　　
「【００１２】
　以上のような機能を有するプリンタ１０１は、プリンタ１０１の処理動作を統括制御するＣＰＵと、制御プログラムなどを格納するＲＯＭと、前記制御プログラムをＣＰＵが実行する際のワークメモリなどとして機能するＲＡＭと、
外部デバイス１０２〜１０４などと通信を行うための通信インターフェースと、本体操作パネル（例えば液晶ディスプレイ装置）や操作ボタンなどを含むユーザインターフェースと、外部デバイス１０２〜１０４に格納されているファイルの内容を用紙に可視化させるためのプリント機構
【００１３】
　
１０２〜１０４は、このプリンタ１０１に接続してダイレクトプリントを行う外部デバイスである。
外部デバイス１０２〜１０４は、プリンタ１０１と接続媒体１０５を使用して接続する。この接続媒体としては、例えば、ＵＳＢや、ＩＥＥＥ１３９４ケーブルなどを用いればよい
「【００３５】
　次に、ステップＳ７０５において、プリンタ１０１は、
ストレージデバイス１０３に保存されているファイルのリスト
　次に、ステップＳ７０６において、ユーザがダイレクトプリントを行うファイルを選択するために、
プリンタ１０１は、本体操作パネルに、ステップＳ７０５で取得したファイルのリストを表示する
　図１０は、ステップＳ７０６でプリンタ１０１の本体操作パネルに表示される画面の一例を示した図である。図１０において、１００１は印刷ファイル選択画面である。１００２は、ファイルをすべて選択するためのチェックボックスである。
１００３〜１００７は、ステップＳ７０５のステップで取得したファイルを選択するためのファイルリストチェックボックスである。
印刷ファイルを選択するために、ユーザが、ファイルのチェックボックス１００３、１００５を選択したとする(ステップＳ７０７)。そして、これらのファイルのダイレクトプリントを行うため、ユーザはＯＫボタン１０１１を押下する（ステップＳ７０８のＹＥＳ）。
【００３６】
　以上のようにしてユーザによりファイルが選択され、
選択されたファイルをダイレクトプリントすることが指示されると、印刷属性を設定する手順に移る
　まず、ステップＳ７０９において、プリンタ１０１は、ダイレクトプリント印刷属性設定テーブル６０１から、適用デバイス６０７の項目にストレージデバイス１０３が設定されているプリントジョブ格納ボックスを選択する。図６に示したテーブル６０１では、ストレージデバイス１０３に適用する印刷属性をもつプリントジョブ格納ボックスは、プリントジョブ格納ボックス（００番）３０７と、プリントジョブ格納ボックス（０２番）３０９と、プリントジョブ格納ボックス（０３番）３１０であることが分かる。そこで、
プリンタ１０１は、図１１に示すような、ダイレクトプリント画面を表示する
　図１１に示すダイレクトプリント画面１１０１は、図９に示したダイレクトプリント画面９０１と略同じであるが、
１１０７、１１０８、および１１０９は、ステップＳ７０９において、ストレージデバイス１０３に適した印刷属性をもつプリントジョブ格納ボックスを表示する欄である、すなわち、１１０７、１１０８、および１１０９は、プリントジョブ格納ボックス（００番）３０７と、プリントジョブ格納ボックス（０２番）３０９と、プリントジョブ格納ボックス（０３番）３１０とをラジオボタンとして表示する欄
ユーザは、左上ステープルの印刷属性で印刷をするため、ラジオボタン１１０９を選択する（ステップＳ７１０）。
　ここまでのステップで印刷する準備が整ったため、
ユーザは印刷ボタン１１１５を押下することにより（ステップＳ７１１）、ステップＳ７１２において、プリンタ１０１は、印刷を実行する。
「【図１】
」
「【図１０】
」
「【図１１】
」
　　
　甲３の段落【００１２】、【００１３】及び図１によると、甲３記載のダイレクトプリントシステムのプリンタ１０１は、接続媒体を介して、外部装置（デジタルカメラ１０２、ストレージデバイス１０３、ＰＤＡ１０４）と通信可能である。
　甲３の段落【００３５】、【００３６】及び図１０によると、甲３記載のダイレクトプリントシステムの外部装置にはファイルが格納されており、甲３記載のプリンタ１０１の本体操作パネルに表示される印刷ファイル選択画面（１００１）において、一覧表示できる。また、印刷ファイル選択画面（１００１）には、ＯＫボタンが配置されており、ＯＫボタンが選択されることで、ダイレクトプリント画面（１１０１）が表示され、ダイレクトプリント画面（１０１１）において、ユーザが印刷属性が登録されたボックスを選択することで印刷設定を行うことができる。
　甲３の段落【００３６】によると、甲３記載のプリンタ１０１は、ユーザがダイレクトプリント画面（１０１１）の印刷ボタン（１１１５）を押下することで、選択されたファイルが指定された印刷設定で印刷される。
　　
　以上によると、甲３には、次の発明（以下「甲３発明１」という。）が記載されていると認められる。
　　
（甲３発明１）
（３−１ａ）ファイルを格納可能な外部装置（１０２，１０３，１０４）と接続媒体を介して接続可能であり、押下操作が可能な画面を含む操作パネルを有する印刷装置であって、
（３−１ｂ）前記外部装置（１０２，１０３，１０４）に格納されているファイルの一覧の中から前記印刷装置で印刷させるファイルの選択を受け付ける一覧画面（１００１）であって、印刷設定の入力を受け付ける印刷設定画面（１１０１）を表示させるためのボタン（１０１１）を含む前記一覧画面を、前記操作パネル上に表示させる第１の表示手段と、
（３−１ｃ）前記一覧画面（１０１１）上に表示されているファイルの一覧の中から印刷させるファイルの選択を受け付けた後、前記一覧画面に含まれる前記ボタン（１０１１）が選択されたことに応じて、前記印刷設定として少なくとも両面印刷の設定が登録されたボックス（１１０８）の選択を受け付ける前記印刷設定画面（１１０１）を、前記操作パネル上に表示させる第２の表示手段と、
（３−１ｄ）前記操作パネル上に表示された前記印刷設定画面（１１０１）に対する印刷設定の入力を受け付けた後、前記操作パネル上でのプリントキー（１１０５）の選択に応じて、前記外部装置（１０２，１０３，１０４）に格納されたファイルのうちの選択されたファイルを、入力を受け付けた前記印刷設定に基づいて印刷出力する印刷手段と、
（３−１ｅ）を有することを特徴とする印刷装置。
　　
（（３−１ａ）〜（３−１ｅ）は、甲３発明１の構成を区別するために付与した。）
　　
（４）甲第４号証
　甲第４号証（特開２０００−２００２４７号公報。以下「甲４」という。）には、「画像形成装置および画像意データ処理方法」（発明の名称）に関し、図面と共に次に掲げる事項が記載されている（下線は当審が付与した。）。
　　
「【０００１】
【発明の属する技術分野】本発明は、Ｗｏｒｌｄ　Ｗｉｄｅ　Ｗｅｂサーバ（以後ＷＷＷサーバと呼ぶ）へアクセスする機能を有する画像形成装置および画像データ処理方法に関するものである。」
　　
「【００１６】
【発明の実施の形態】以下に本発明に係る実施例を詳細に説明する。図１は、本発明の実施例に係る画像形成システムの構成図である。本システムの中心的役割を．果たすデジダル複写機１は、画像データ等や各種プログラムを格納しておくためのハードディスク３と、
ネットワークを介して外部機器と通信を行うためのネットワークインターフェース部４
デジタル複写機１上で自機に対する動作指示を行うための操作部５
また、ネットワークには、上記デジタル複写機に対してＵＲＬおよび印刷指示を行うための外部クライアント（コンピュータ）９と、インターネットを経由してＵＲＬで指示されるＷＷＷ（Ｗｏｒｌｄ　Ｗｉｄｅ　Ｗｅｂ）サーバ１０とが接続されている。
　　
「【００４２】次に、デジタル複写機１の操作部５を使用してＷｅｂ　Ｐｕｌｌ　Ｐｒｉｎｔを要求する方法について説明する。
図１４、図１５は操作部５の各種キーを示すものであって、３００Ａは、タッチキーを兼ねた表示パネルを示す。
【００４３】３０１はガイドキーであり、操作がわからない時に適切なアドパイスを表示する。
３０２〜３０４はモード変更キー
３０４でＷｅｂプリントモードに変更される
３０８は両面印刷にかかわる処理設定を行うメニューであり、片面原稿から片面原稿、片面原稿から両面原稿、両面原稿から両面原稿にコピーをする３つの設定を行う。
　　
「【００４６】図１６のウィンドウ３００には、現在
Ｗｅｂ　Ｐｕｌｌ　Ｐｒｉｎｔプリントモード
ＵＲＬボタン３３１上には、アクセスするＷＷＷサーバのドメイン名、取得するＨＴＭＬ形式のデータのファイル名を表示している。
【００４７】図１８の
Ｂ００ＫＭＡＲＫウィンドウには、既に登録済みであるＵＲＬのリスト３５０から３５４が表示
ＵＲＬ３５０から３５４の何れかを選択して反転表示させた後にＯＫボタン３５９を押下することで、選択したＵＲＬがＵＲＬボタン３３１上にセットされる。
　　
「【００５１】
上述したＷｅｂ　Ｐｕｌｌ　Ｐｒｉｎｔに関する各設定ウィンドウにて必要なパラメータを設定した後、最終的に図１６のスタートボタン３１９を押下することで、操作部５からコア部２のコマンド受け取り処理に対してＷｅｂ　Ｐｕｌｌ　Ｐｒｉｎｔ要求コマンドが発行される。
　　
「【００５４】図２２において、Ｓ５０４では
ＨＴＴＰクライアントはＷＷＷサーバからＳ５０２で指定されたＵＲＬのホームページのデータであるＨＴＭＬデータ、画像データ等を取得するように動作する。
　　
「【００５６】キャンセルフラグが立っていない場合、ＨＴＭＬＰａｒｓｅｒ（Ｓ５０６）に処理が移る。
ＨＴＭＬＰａｒｓｅｒはＷＷＷサーバから取得したデータを基にプリンタ部８にて印刷が行えるように画像を作成する
　　
「【００５８】キャンセルフラグが立っていない場合は、
ＨＴＭＬ　Ｐａｒｓｅｒにて作成した画像をコア部２へ送信（Ｓ５０８）する。画像を受け取ったコア部２はプリンタ部８へ画像を転送し、カセット２０４あるいは２０５に収納されている用紙に印刷を行ってＷｅｂ　Ｐｕｌｌ　Ｐｒｉｎｔの実行を完了する。
　　
「【図１６】
」
「【図１８】
」
　　
　甲４の段落【００１６】によると、甲４記載のデジタル複写機１は、ＷＥＢページデータが格納されたサーバ１０とインターネットを介して通信することができる。
　甲４の段落【００４２】、【００４６】、【００４７】、【００５６】、図１８によると、甲４記載のデジタル複写機１の操作部５は、タッチキーを兼ねた表示パネルを備え、前記表示パネルは、ＢＯＯＫＭＡＲＫウインドウ（図１８）に、ＷＥＢページのＵＲＬ一覧を表示し、ユーザが、ＵＲＬを選択し、ＯＫボタン（３５９）を選択することで、ＢＯＯＫＭＡＲＫウインドウのＵＲＬ指定操作が完了し、Ｗｅｂ　Ｐｕｌｌ　Ｐｒｉｎｔモードの画面（図１６）のＵＲＬボタン３５９に、指定されたＵＲＬがセットされた状態になる。
　甲４の段落【００４３】、【００４６】によると、甲４記載のデジタル複写機１の表示パネルのＷｅｂ　Ｐｕｌｌ　Ｐｒｉｎｔモードの画面（図１６）には、両面印刷キー３０８が配置されており、片面原稿から片面原稿、片面原稿から両面原稿、、両面原稿から両面原稿等の設定ができる。
　甲４の段落【００５１】によると、甲４記載のデジタル複写機１は、Ｗｅｂ　Ｐｕｌｌ　Ｐｒｉｎｔに関する各種設定後、スタートキー３１９が押し下げされることで、指定されたＷＥＢページの印刷が開始される。
　　
　以上によると、甲４には、次の発明（以下「甲４発明１」という。）が記載されていると認められる。
　　
（甲４発明１）
（４−１ａ）ＷＥＢページデータを格納可能なサーバ（１０）とネットワークを介して接続可能であり、タッチキーを兼ねた表示パネルを備える操作部（５）を有する印刷装置であって、
（４−１ｂ）ＵＲＬが登録されたＷＥＢページの一覧（３５０〜３５３）の中から前記印刷装置で印刷させるＷＥＢページの選択を受け付ける一覧画面（図１８）であって、
印刷設定の入力を受け付ける印刷設定画面（図１６）を表示させるためのボタン（３５９）を含む前記一覧画面（図１８）を、前記表示パネル上に表示させる第１の表示手段と、
（４−１ｃ）前記一覧画面（図１８）上に表示されているＷＥＢページの一覧の中から印刷させるＷＥＢページの選択を受け付けた後、前記一覧画面（図１８）に含まれる前記ボタン（３５９）が選択されたことに応じて、前記印刷設定として少なくとも両面印刷キー（３０８）の選択を受け付ける前記印刷設定画面（図１６）を、前記表示パネル上に表示させる第２の表示手段と、
（４−１ｄ）前記表示パネル上に表示された前記印刷設定画面（図１６）に対する印刷設定の入力を受け付けた後、前記操作部（５）上でのスタートキー（３１９）の押下に応じて、前記サーバに格納されたＷＥＢページのうちの選択されたＷＥＢページを、入力を受け付けた前記印刷設定に基づいて印刷出力する印刷手段と、
（４−１ｅ）を有することを特徴とする印刷装置。
　　
（（４−１ａ）〜（４−１ｅ）は、甲４発明１の構成を区別するために付与した。）
　　
４　判断
（１）取消理由通知に記載した取消理由について
ア　甲１に記載された発明に基づく新規性及び容易想到性
（ア）本件発明１
ａ　本件発明１、甲１発明１
　本件発明１と甲１発明１とを対比するにあたり、本件発明１と甲１発明１とを再掲する。
　　
（本件発明１）
（１Ａ）ファイルを格納可能なフォルダを有する外部装置とネットワークを介して接続可能であり、タッチパネルを含む操作部を有する印刷装置であって、
（１Ｂ）前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタンであり前記一覧画面に表示されたファイルの一覧の中から印刷させるファイルを決定するための前記ボタンを含む前記一覧画面を、前記タッチパネル上に表示させる第１の表示手段と、
（１Ｃ）前記一覧画面上に表示されているファイルの一覧の中から印刷させるファイルの選択を受け付けた後、前記一覧画面に含まれる前記ボタンが選択されたことに応じて、前記一覧画面で選択されたファイルの印刷設定として少なくとも片面印刷か両面印刷かの設定に係る入力を受け付ける前記印刷設定画面を、前記タッチパネル上に表示させる第２の表示手段と、
（１Ｄ）前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段と、
（１Ｅ）を有することを特徴とする印刷装置。
　　
（甲１発明１）
（１−１ａ）画像データを格納可能なパーソナルボックスを有する外部装置（１３）とネットワークを介して接続可能であり、タッチパネルを含む操作部（５００）を有する印刷装置であって、
（１−１ｂ）前記外部装置（１３）の前記パーソナルボックスに格納されている画像データの一覧（８２３、８２４）の中から前記印刷装置で印刷させる画像データの選択を受け付ける一覧画面（８３０）であって、
印刷設定の変更が可能なジョブ詳細情報の画面を表示させるための詳細情報キー（８１６）を含む前記一覧画面（８３０）を、前記タッチパネル上に表示させる第１の表示手段と、
（１−１ｃ）前記一覧画面（８３０）上に表示されている原稿データの一覧の中から印刷させる画像データの選択を受け付けた後、前記一覧画面（８３０）に含まれる前記ボタン（８１６）が選択されたことに応じて、前記印刷設定として少なくとも両面印刷の設定に係る入力を受け付ける前記印刷設定画面を、前記タッチパネル上に表示させる第２の表示手段と、
（１−１ｄ）前記タッチパネル上に表示されたジョブ詳細情報の画面に対する印刷設定の入力を受け付けた後、前記操作部（５００）上でのプリントキー（８１７）の選択に応じて、前記外部装置（１３）の有する前記パーソナルボックスに格納された画像データのうちの選択された画像データを、入力を受け付けた前記印刷設定に基づいて印刷出力する印刷手段と、
（１−１ｅ）を有することを特徴とする印刷装置。
　　
ｂ　対比
　本件発明１と甲１発明１とを対比する。
　　
（ａ）構成要件１Ａと構成１−１ａとを対比する。
　構成１−１ａの「画像データを格納可能なパーソナルボックスを有する外部装置」は、構成要件１Ａの「ファイルを格納可能なフォルダを有する外部装置」に相当する。
　したがって、構成要件１Ａと構成１−１ａとは、「ファイルを格納可能なフォルダを有する外部装置とネットワークを介して接続可能であり、タッチパネルを含む操作部を有する印刷装置」として一致する。
　　
（ｂ）構成要件１Ｂと構成１−１ｂとを対比する。
　構成１−１ｂの「前記外部装置（１３）の前記パーソナルボックスに格納されている画像データの一覧（８２３、８２４）の中から前記印刷装置で印刷させる画像データの選択を受け付ける一覧画面（８３０）」は、構成要件１Ｂの「前記外部装置の前記フォルダに格納されているファイルの一覧の中から前記印刷装置で印刷させるファイルの選択を受け付ける一覧画面」に相当する。
　構成１−１ｂの「印刷設定の変更が可能なジョブ詳細情報の画面を表示させるための詳細情報キー（８１６）」は、「印刷設定の入力を受け付ける印刷設定画面を表示させるためのボタン」といえる。
　そうすると、構成要件１Ｂと構成１−１ｂとは、「前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタンを含む前記一覧画面を、前記タッチパネル上に表示させる第１の表示手段」として共通する。
　しかしながら、「印刷設定の入力を受け付ける印刷設定画面を表示させるためのボタン」が、本件発明１においては、さらに、「前記一覧画面に表示されたファイルの一覧の中から印刷させるファイルを決定するため」のボタンであるのに対し、甲１発明１においては、「前記一覧画面に表示されたファイルの一覧の中から印刷させるファイルを決定するため」のボタンでない点で相違する。
　　
（ｃ）構成要件１Ｃと構成１−１ｃとを対比すると、「前記一覧画面上に表示されているファイルの一覧の中から印刷させるファイルの選択を受け付けた後、前記一覧画面に含まれる前記ボタンが選択されたことに応じて、前記一覧画面で選択されたファイルの印刷設定として少なくとも片面印刷か両面印刷かの設定に係る入力を受け付ける前記印刷設定画面を、前記タッチパネル上に表示させる第２の表示手段」として一致する。
　　
（ｄ）構成要件１Ｄと構成１−１ｄとを対比すると、「前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段」として一致する。
　　
（ｅ）構成要件１Ｅと構成１−１ｅとを対比すると、「印刷装置」として一致する。
　　
ｃ　一致点、相違点
　以上によると、一致点、相違点は次のとおりである。
　　
（一致点）
　ファイルを格納可能なフォルダを有する外部装置とネットワークを介して接続可能であり、タッチパネルを含む操作部を有する印刷装置であって、
　前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタンを含む前記一覧画面を、前記タッチパネル上に表示させる第１の表示手段と、
　前記一覧画面上に表示されているファイルの一覧の中から印刷させるファイルの選択を受け付けた後、前記一覧画面に含まれる前記ボタンが選択されたことに応じて、前記一覧画面で選択されたファイルの印刷設定として少なくとも片面印刷か両面印刷かの設定に係る入力を受け付ける前記印刷設定画面を、前記タッチパネル上に表示させる第２の表示手段と、
　前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段と、
　を有することを特徴とする印刷装置。
　　
（相違点）
　「印刷設定の入力を受け付ける印刷設定画面を表示させるためのボタン」が、本件発明１においては、さらに、「前記一覧画面に表示されたファイルの一覧の中から印刷させるファイルを決定するため」のボタンであるのに対し、甲１発明１においては、「前記一覧画面に表示されたファイルの一覧の中から印刷させるファイルを決定するため」のボタンでない点。
　　
ｄ　判断
　上記のとおり、本件発明１と甲１発明１とを対比すると、相違点があるから、本件発明１は、甲１発明１ではない。
　次に、相違点について検討すると、甲１発明１における「印刷設定の入力を受け付ける印刷設定画面を表示させるためのボタン」を、さらに、「前記一覧画面に表示されたファイルの一覧の中から印刷させるファイルを決定するため」のボタンとする構成、あるいはこれを示唆する技術思想は、甲２〜４の記載にはなく、このことが自明のこととも認められない。
　したがって、本件発明１は、当業者であっても、甲１発明１に基づいて容易になし得るものではない。
　　
（イ）本件発明２〜７
　本件発明２〜５は、本件発明１を引用するから、本件発明１と同じ理由で、甲１発明１ではなく、当業者が甲１発明１に基づいて容易になし得るものではない。
　本件発明６〜７は、本件発明１を引用するから、本件発明１と同じ理由で、当業者であっても、甲１発明１に基づいて容易になし得るものではない。
　　
（ウ）本件発明８
　本件発明８は、本件発明１の「装置」の発明とカテゴリーの異なる方法の発明であるから、本件発明１と同様に、甲１に記載された発明ではなく、当業者であっても、甲１に記載された発明に基づいて容易になし得るものではない。
　　
イ　甲２に記載された発明に基づく容易想到性
（ア）本件発明１
ａ　甲２発明１
　本件発明１と甲２発明１とを対比するにあたり、甲２発明１を再掲する。
　　
（甲２発明１）
（２−１ａ）ファイルを格納可能なフォルダを有する外部装置（１２４−１〜１２４−ｎ）とネットワークを介して接続可能であり、タッチパネルを含むコントロールパネル（４０）を有する印刷装置であって、
（２−１ｂ）前記外部装置(１２４−１ 〜１２４−ｎ)の前記フォルダに格納されているファイルの一覧の中から前記印刷装置で印刷させるファイルの選択を受け付ける一覧画面であって、
前記一覧画面を、前記タッチパネル上に表示させる第１の表示手段と、
（２−１ｃ）前記一覧画面上に表示されているファイルの一覧の中から印刷させるファイルの選択を受け付けた後、前記印刷設定として少なくとも両面印刷の設定に係る入力を受け付ける前記印刷設定画面を、前記タッチパネル上に表示させる第２の表示手段と、
（２−１ｄ）前記タッチパネル上に表示された前記印刷設定画面に対する印刷設定の入力を受け付けた後、前記操作部上でのスタートボタンの押下に応じて、前記外部装置（１２４−１〜１２４−ｎ）の有する前記ファイルのうちの選択されたファイルを、入力を受け付けた前記印刷設定に基づいて印刷出力する印刷手段と、
（２−１ｅ）を有することを特徴とする印刷装置。
　　
ｂ　対比
　本件発明１と甲２発明１とを対比する。
　　
（ａ）構成要件１Ａと構成２−１ａとを対比する。
　構成２−１ａの「コントロールパネル」は、構成要件１Ａの「操作部」に相当する。
　したがって、構成要件１Ａと構成２−１ａとは、「ファイルを格納可能なフォルダを有する外部装置とネットワークを介して接続可能であり、タッチパネルを含む操作部を有する印刷装置」として一致する。
　　
（ｂ）構成要件１Ｂと構成２−１ｂとを対比する。
　構成２−１ｂの「前記外部装置(１２４−１ 〜１２４−ｎ)の前記フォルダに格納されているファイルの一覧の中から前記印刷装置で印刷させるファイルの選択を受け付ける一覧画面」は、構成要件１Ｂの「前記外部装置の前記フォルダに格納されているファイルの一覧の中から前記印刷装置で印刷させるファイルの選択を受け付ける一覧画面」に相当する。
　したがって、構成要件１Ｂと構成２−１ｂとは、「前記外部装置(１２４−１ 〜１２４−ｎ)の前記フォルダに格納されているファイルの一覧の中から前記印刷装置で印刷させるファイルの選択を受け付ける一覧画面であって、前記一覧画面を、前記タッチパネル上に表示させる第１の表示手段」として共通する。
　しかしながら、「一覧画面」が、本件発明１においては、「印刷設定の入力を受け付ける印刷設定画面を表示させるためのボタンであり前記一覧画面に表示されたファイルの一覧の中から印刷させるファイルを決定するための前記ボタンを含む」のに対し、甲２発明１においては、当該ボタンを含むと特定されていない点で相違する。
　　
（ｃ）構成要件１Ｃと構成２−１ｃとを対比すると、
「前記一覧画面上に表示されているファイルの一覧の中から印刷させるファイルの選択を受け付けた後、前記一覧画面で選択されたファイルの印刷設定として少なくとも両面印刷の設定に係る入力を受け付ける前記印刷設定画面を、前記タッチパネル上に表示させる第２の表示手段」として共通する。
　しかしながら、本件発明１においては、「前記一覧画面に含まれる前記ボタンが選択されたことに応じて、」印刷設定画面を表示させるのに対し、甲２発明１においては、「前記一覧画面に含まれる前記ボタンが選択されたことに応じて、」印刷設定画面を表示させると特定されておらず、
　さらに、「両面印刷の設定」が、本件発明１においては、「片面印刷か両面印刷か」の設定であるのに対し、甲２発明１においては、「片面印刷か両面印刷か」の設定でない点で相違する。
　　
（ｄ）構成要件１Ｄと構成２−１ｄとを対比する。
　構成２−１ｄの「スタートボタンの押下」は、構成要件１Ｄの「ユーザ操作」に相当する。
　したがって、構成要件１Ｄと構成２−１ｄとは、「前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段」として一致する。
　　
（ｅ）構成要件１Ｅと構成２−１ｅとを対比すると、「印刷装置」として一致する。
　　
ｃ　一致点、相違点
　以上によると、一致点、相違点は次のとおりである。
　　
（一致点）
　ファイルを格納可能なフォルダを有する外部装置とネットワークを介して接続可能であり、タッチパネルを含む操作部を有する印刷装置であって、
　前記外部装置の前記フォルダに格納されているファイルの一覧の中から前記印刷装置で印刷させるファイルの選択を受け付ける一覧画面であって、前記一覧画面を、前記タッチパネル上に表示させる第１の表示手段と、
　前記一覧画面上に表示されているファイルの一覧の中から印刷させるファイルの選択を受け付けた後、前記一覧画面で選択されたファイルの印刷設定として少なくとも両面印刷の設定に係る入力を受け付ける前記印刷設定画面を、前記タッチパネル上に表示させる第２の表示手段と、
　前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段と、
　を有することを特徴とする印刷装置。
　　
（相違点１）
　「一覧画面」が、本件発明１においては、「印刷設定の入力を受け付ける印刷設定画面を表示させるためのボタンであり前記一覧画面に表示されたファイルの一覧の中から印刷させるファイルを決定するための前記ボタンを含む」のに対し、甲２発明１においては、当該ボタンを含むと特定されていない点。
　　
（相違点２）
　前記印刷設定画面を、前記タッチパネル上に表示させる第２の表示手段が、本件発明１においては、「前記一覧画面に含まれる前記ボタンが選択されたことに応じて、」印刷設定画面を表示させるのに対し、甲２発明１においては、「前記一覧画面に含まれる前記ボタンが選択されたことに応じて、」印刷設定画面を表示させると特定されておらず、
「両面印刷の設定を受け付ける印刷設定画面」が、本件発明１においては、「片面印刷か両面印刷か」の設定であるのに対し、甲２発明１においては、「片面印刷か両面印刷か」の設定ではない点。
　　
ｄ　判断
　相違点１、２について検討する。
　甲３発明１における「ボタン」は、「前記一覧画面（１０１１）上に表示されているファイルの一覧の中から印刷させるファイルの選択を受け付けた後、前記一覧画面に含まれる前記ボタン（１０１１）が選択されたことに応じて、前記印刷設定として少なくとも両面印刷の設定が登録されたボックス（１１０８）の選択を受け付ける前記印刷設定画面（１１０１）を、前記操作パネル上に表示させる」（構成３−１ｃ）ものであって、甲２発明１に甲３発明１を適用すると、甲２発明の「一覧画面」上に当該ボタンを設けることになる。
　しかしながら、設けた「ボタン」を押下した後に表示される画面は、「前記印刷設定として少なくとも両面印刷の設定が登録されたボックス（１１０８）の選択を受け付ける前記印刷設定画面」であって、当該印刷設定画面は、「片面印刷か両面印刷か」の設定に係る入力を受け付けるものではない。
　そうすると、本件発明１は、当業者であっても、甲２発明１及び甲３発明１に基づいて容易になし得るものではない。
　　
（イ）本件発明２〜７
　本件発明２〜７は、本件発明１を引用するから、本件発明１と同じ理由で、当業者であっても、甲２発明１及び甲３発明１に基づいて容易になし得るものではない。
　　
（ウ）本件発明８
　本件発明８は、本件発明１の「装置」の発明とカテゴリーの異なる方法の発明であるから、本件発明１と同様に、当業者であっても、甲２発明１及び甲３発明１に基づいて容易になし得るものではない。
　　
（２）取消理由通知において採用しなかった特許異議申立理由について
　特許異議申立人は、本件発明１〜８は、甲３乃至甲４に記載された発明並びに周知技術から、容易になし得た発明であると主張する。
　しかしながら、上記主張に理由はない。
　詳細は以下のとおりである。
　　
ア　甲３に記載された発明に基づく容易想到性
（ア）本件発明１
ａ　甲３発明１
　本件発明１と甲３発明１とを対比するにあたり、甲３発明１を再掲する。
　　
（甲３発明１）
（３−１ａ）ファイルを格納可能な外部装置（１０２，１０３，１０４）と接続媒体を介して接続可能であり、押下操作が可能な画面を含む操作パネルを有する印刷装置であって、
（３−１ｂ）前記外部装置（１０２，１０３，１０４）に格納されているファイルの一覧の中から前記印刷装置で印刷させるファイルの選択を受け付ける一覧画面（１００１）であって、印刷設定の入力を受け付ける印刷設定画面（１１０１）を表示させるためのボタン（１０１１）を含む前記一覧画面を、前記操作パネル上に表示させる第１の表示手段と、
（３−１ｃ）前記一覧画面（１０１１）上に表示されているファイルの一覧の中から印刷させるファイルの選択を受け付けた後、前記一覧画面に含まれる前記ボタン（１０１１）が選択されたことに応じて、前記印刷設定として少なくとも両面印刷の設定が登録されたボックス（１１０８）の選択を受け付ける前記印刷設定画面（１１０１）を、前記操作パネル上に表示させる第２の表示手段と、
（３−１ｄ）前記操作パネル上に表示された前記印刷設定画面（１１０１）に対する印刷設定の入力を受け付けた後、前記操作パネル上でのプリントキー（１１０５）の選択に応じて、前記外部装置（１０２，１０３，１０４）に格納されたファイルのうちの選択されたファイルを、入力を受け付けた前記印刷設定に基づいて印刷出力する印刷手段と、
（３−１ｅ）を有することを特徴とする印刷装置。
　　
ｂ　対比
　本件発明１と甲３発明１とを対比する。
　　
（ａ）構成要件１Ａと構成３−１ａとを対比する。
　構成３−１ａの「接続媒体」、「押下操作が可能な画面を含む操作パネル」は、それぞれ構成要件１Ａの「ネットワーク」、「タッチパネルを含む操作部」に相当する。
　したがって、構成要件１Ａと構成３−１ａとは、「ファイルを格納可能なフォルダを有する外部装置とネットワークを介して接続可能であり、タッチパネルを含む操作部を有する印刷装置」として一致する。
　　
（ｂ）構成要件１Ｂと構成３−１ｂとを対比すると、「前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタンであり前記一覧画面に表示されたファイルの一覧の中から印刷させるファイルを決定するための前記ボタンを含む前記一覧画面を、前記タッチパネル上に表示させる第１の表示手段」として一致する。
　　
（ｃ）構成要件１Ｃと構成３−１ｃとを対比すると、「前記一覧画面上に表示されているファイルの一覧の中から印刷させるファイルの選択を受け付けた後、前記一覧画面に含まれる前記ボタンが選択されたことに応じて、前記印刷設定画面を、前記タッチパネル上に表示させる第２の表示手段」として共通する。
　しかしながら、「印刷設定画面」が、構成要件１Ｃにおいては、「前記一覧画面で選択されたファイルの印刷設定として少なくとも片面印刷か両面印刷かの設定に係る入力を受け付ける」ものであるのに対し、構成３−１ｃにおいては、「前記印刷設定として少なくとも両面印刷の設定が登録されたボックス（１１０８）の選択を受け付ける」ものである点で相違する。
　　
（ｄ）構成要件１Ｄと構成３−１ｄとを対比すると、「前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段」として一致する。
　　
（ｅ）構成要件１Ｅと構成３−１ｅとを対比すると、「印刷装置」として一致する。
　　
ｃ　一致点、相違点
　以上によると、一致点、相違点は次のとおりである。
　　
（一致点）
　ファイルを格納可能なフォルダを有する外部装置とネットワークを介して接続可能であり、タッチパネルを含む操作部を有する印刷装置であって、
　前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタンであり前記一覧画面に表示されたファイルの一覧の中から印刷させるファイルを決定するための前記ボタンを含む前記一覧画面を、前記タッチパネル上に表示させる第１の表示手段と、
　前記一覧画面上に表示されているファイルの一覧の中から印刷させるファイルの選択を受け付けた後、前記一覧画面に含まれる前記ボタンが選択されたことに応じて、前記印刷設定画面を、前記タッチパネル上に表示させる第２の表示手段と、
　前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段と、
　を有することを特徴とする印刷装置。
　　
（相違点）
　「印刷設定画面」が、本件発明１においては、「前記一覧画面で選択されたファイルの印刷設定として少なくとも片面印刷か両面印刷かの設定に係る入力を受け付ける」ものであるのに対し、甲３発明１においては、「前記印刷設定として少なくとも両面印刷の設定が登録されたボックス（１１０８）の選択を受け付ける」ものである点。
　　
ｄ　判断
　甲３発明１において、「前記印刷設定として少なくとも両面印刷の設定が登録されたボックス（１１０８）の選択を受け付ける」「印刷設定画面」を「前記一覧画面で選択されたファイルの印刷設定として少なくとも片面印刷か両面印刷かの設定に係る入力を受け付ける」「印刷設定画面」にする構成、あるいはこれを示唆する技術思想は、甲１、２、４の記載にはなく、このことが自明のこととも認められない。
　したがって、本件発明１は、当業者であっても、甲３発明１に基づいて容易になし得るものではない。
　　
（イ）本件発明２〜７
　本件発明２〜７は、本件発明１を引用するから、本件発明１と同じ理由で、当業者であっても、甲３発明１に基づいて容易になし得るものではない。
　　
（ウ）本件発明８
　本件発明８は、本件発明１の「装置」の発明とカテゴリーの異なる方法の発明であるから、本件発明１と同様に、当業者であっても、甲３発明１に基づいて容易になし得るものではない。
　　
イ　甲４に記載された発明に基づく容易想到性
（ア）本件発明１
ａ　甲４発明１
　本件発明１と甲４発明１とを対比するにあたり、甲４発明１を再掲する。
　　
（甲４発明１）
（４−１ａ）ＷＥＢページデータを格納可能なサーバ（１０）とネットワークを介して接続可能であり、タッチキーを兼ねた表示パネルを備える操作部（５）を有する印刷装置であって、
（４−１ｂ）ＵＲＬが登録されたＷＥＢページの一覧（３５０〜３５３）の中から前記印刷装置で印刷させるＷＥＢページの選択を受け付ける一覧画面（図１８）であって、
印刷設定の入力を受け付ける印刷設定画面（図１６）を表示させるためのボタン（３５９）を含む前記一覧画面（図１８）を、前記表示パネル上に表示させる第１の表示手段と、
（４−１ｃ）前記一覧画面（図１８）上に表示されているＷＥＢページの一覧の中から印刷させるＷＥＢページの選択を受け付けた後、前記一覧画面（図１８）に含まれる前記ボタン（３５９）が選択されたことに応じて、前記印刷設定として少なくとも両面印刷キー（３０８）の選択を受け付ける前記印刷設定画面（図１６）を、前記表示パネル上に表示させる第２の表示手段と、
（４−１ｄ）前記表示パネル上に表示された前記印刷設定画面（図１６）に対する印刷設定の入力を受け付けた後、前記操作部（５）上でのスタートキー（３１９）の押下に応じて、前記サーバに格納されたＷＥＢページのうちの選択されたＷＥＢページを、入力を受け付けた前記印刷設定に基づいて印刷出力する印刷手段と、
（４−１ｅ）を有することを特徴とする印刷装置。
　　
ｂ　対比
　本件発明１と甲４発明１とを対比する。
　　
（ａ）構成要件１Ａと構成４−１ａとを対比する。
　構成４−１ａの「サーバ」、「タッチキーを兼ねた表示パネルを備える操作部」は、それぞれ構成要件１Ａの「外部装置」、「タッチパネルを含む操作部」に相当する。
　したがって、構成要件１Ａと構成４−１ａとは、「外部装置とネットワークを介して接続可能であり、タッチパネルを含む操作部を有する印刷装置」として共通する。
　しかしながら、「外部装置」が、構成要件１Ａにおいては、「ファイルを格納可能なフォルダを有する」ものであるのに対し、構成４−１ａにおいては、「ＷＥＢページデータを格納可能」である点で相違する。
　　
（ｂ）構成要件１Ｂと構成４−１ｂとを対比すると、「データの一覧の中から前記印刷装置で印刷させるデータの選択を受け付ける一覧画面であって、印刷設定の入力を受け付ける印刷設定画面を表示させるためのボタンであり前記一覧画面に表示されたデータの一覧の中から印刷させるデータを決定するための前記ボタンを含む前記一覧画面を、前記タッチパネル上に表示させる第１の表示手段」として共通する。
　しかしながら、「データ」が、構成要件１Ｂにおいては、「前記外部装置の前記フォルダに格納されているファイル」であるのに対し、構成要件４−１ｂにおいては、「ＵＲＬが登録されたＷＥＢページ」である点で相違する。
　　
（ｃ）構成要件１Ｃと構成４−１ｃとを対比すると、「前記一覧画面上に表示されているデータの一覧の中から印刷させるデータの選択を受け付けた後、前記一覧画面に含まれる前記ボタンが選択されたことに応じて、前記印刷設定画面を、前記タッチパネル上に表示させる第２の表示手段」として共通する。
　しかしながら、「データ」が、構成要件１Ｃにおいては、「ファイル」であるのに対し、構成４−１ｃにおいては、「ＷＥＢページ」である点で相違し、さらに、「印刷設定画面」が、構成要件１Ｃにおいては、「前記一覧画面で選択されたファイルの印刷設定として少なくとも片面印刷か両面印刷かの設定に係る入力を受け付ける」ものであるのに対し、構成４−１ｃにおいては、「前記印刷設定として少なくとも両面印刷キー（３０８）の選択を受け付ける」ものである点で相違する。
　　
（ｄ）構成要件１Ｄと構成４−１ｄとを対比する。
　構成４−１ｄの「前記操作部（５）上でのスタートキー（３１９）の押下に応じて」は、構成要件１Ｄの「前記操作部上でのユーザ操作に応じて」に相当する。
　したがって、構成要件１Ｄと構成４−１ｄとは、「前記タッチパネル上に表示された前記印刷設定画面に対する印刷設定の入力を受け付けた後、前記操作部上でのユーザ操作に応じて、前記外部装置の有する前記データに格納されたデータのうちの選択されたデータを、入力を受け付けた前記印刷設定に基づいて印刷出力する印刷手段」として共通する。
　しかしながら、「データ」が、構成要件１Ｄにおいては、「ファイル」であるのに対し、構成４−１ｄにおいては、「ＷＥＢページ」である点で相違する。
　　
（ｅ）構成要件１Ｅと構成３−１ｅとを対比すると、「印刷装置」として一致する。
　　
ｃ　一致点、相違点
　以上によると、一致点、相違点は次のとおりである。
　　
（一致点）
　ファイルを格納可能なフォルダを有する外部装置とネットワークを介して接続可能であり、タッチパネルを含む操作部を有する印刷装置であって、
　前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタンであり前記一覧画面に表示されたファイルの一覧の中から印刷させるファイルを決定するための前記ボタンを含む前記一覧画面を、前記タッチパネル上に表示させる第１の表示手段と、
　前記一覧画面上に表示されているファイルの一覧の中から印刷させるファイルの選択を受け付けた後、前記一覧画面に含まれる前記ボタンが選択されたことに応じて、前記一覧画面で選択されたファイルの印刷設定として少なくとも片面印刷か両面印刷かの設定に係る入力を受け付ける前記印刷設定画面を、前記タッチパネル上に表示させる第２の表示手段と、
　前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段と、
　を有することを特徴とする印刷装置。
　　
（相違点１）
　「外部装置」が、本件発明１においては、「ファイルを格納可能なフォルダを有する」ものであるのに対し、甲４発明１においては、「ＷＥＢページデータを格納可能」である点で相違し、それに伴い、「データ」が、本件発明においては、「前記外部装置の前記フォルダに格納されているファイル」、「ファイル」であるのに対し、甲４発明１においては、「ＵＲＬが登録されたＷＥＢページ」、「ＷＥＢページ」である点。
　　
（相違点２）
　「印刷設定画面」が、本件発明１においては、「前記一覧画面で選択されたファイルの印刷設定として少なくとも片面印刷か両面印刷かの設定に係る入力を受け付ける」ものであるのに対し、甲４発明１においては、「前記印刷設定として少なくとも両面印刷キー（３０８）の選択を受け付ける」ものである点。
　　
ｄ　判断
　相違点２について検討する。
　甲４発明１における「前記印刷設定として少なくとも両面印刷キー（３０８）の選択を受け付ける前記印刷設定画面」を「前記一覧画面で選択されたファイルの印刷設定として少なくとも片面印刷か両面印刷かの設定に係る入力を受け付ける」「印刷設定画面」にする構成、あるいはこれを示唆する技術思想は、甲１〜３の記載にはなく、このことが自明のこととも認められない。
　したがって、本件発明１は、当業者であっても、甲４発明１に基づいて容易になし得るものではない。
　　
（イ）本件発明２〜７
　本件発明２〜７は、本件発明１を引用するから、本件発明１と同じ理由で、当業者であっても、甲４発明１に基づいて容易になし得るものではない。
　　
（ウ）本件発明８
　本件発明８は、本件発明１の「装置」の発明とカテゴリーの異なる方法の発明であるから、本件発明１と同様に、当業者であっても、甲４発明１に基づいて容易になし得るものではない。
　　
第４　むすび
　以上のとおりであるから、取消理由通知に記載した取消理由及び特許異議申立書に記載した特許異議申立理由によっては、本件請求項１〜８に係る特許を取り消すことはできない。
　よって、結論のとおり決定する。
【異議決定日】
平成３０年２月１４日（２０１８．２．１４）
【訂正の要旨】
審決（決定）の【理由】欄参照。
（５４）【発明の名称】
印刷装置及び印刷出力方法
　【技術分野】
　【０００１】
　本発明は、プリンタ、複写機、又は、少なくともこれらの機能を複合した複合機等の印刷装置及び印刷出力方法の発明に関する。
　【背景技術】
　【０００２】
　従来、ＰＣ等の外部装置からＬＡＮ（Ｌｏｃａｌ　Ａｒｅａ　Ｎｅｔｗｏｒｋ）やインターネット等の通信ネットワークを介して印刷装置に画像データを送信し、この印刷装置にて印刷用紙に印刷するというＰＵＳＨ型の印刷が行われている（例えば、特許文献１参照）。つまり、利用者がＰＣ等の外部装置を操作することで、印刷装置から画像データの印刷を行うことができる。
　【発明の概要】
　【発明が解決しようとする課題】
　【０００３】
　しかしながら、従来の印刷装置では、印刷装置に対してＰＵＳＨ型の印刷しかできなかった。つまり、利用者が印刷装置を操作して、外部装置に格納されている画像データの印刷処理をできないため、印刷対象の拡張性が乏しいという問題が生じていた。
　【０００４】
　本発明は、操作性を向上させた印刷装置及び印刷出力方法を得ることを目的とする。
　【課題を解決するための手段】
　【０００５】
　本発明に係る印刷装置は、ファイルを格納可能なフォルダを有する外部装置とネットワークを介して接続可能であり、タッチパネルを含む操作部を有する印刷装置であって、前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタン
であり前記一覧画面に表示されたファイルの一覧の中から印刷させるファイルを決定するための前記ボタン
一覧画面で選択されたファイルの
片面印刷か
か
　【発明の効果】
　【０００６】
　本発明によれば、操作性を向上させることができるという効果を奏する。
　【図面の簡単な説明】
　【０００７】
　【図１】図１は、第１の実施の形態の複合機と、この複合機に通信ネットワークを介して接続される多数の外部装置を示した図である。
　【図２】図２は、第１の実施の形態の管理サーバが保持する画像データ管理テーブルの構造の例を示した図である。
　【図３】図３は、第１の実施の形態の複合機のハードウェア構成を示すブロック図である。
　【図４】図４は、第１の実施の形態の閲覧・取得管理テーブルの構成を示した図である。
　【図５】図５は、第１の実施の形態にかかる複合機の構成を示すブロック図である。
　【図６】図６は、第１の実施の形態の操作部の概略構成を示す平面図である。
　【図７】図７は、第１の実施の形態のタッチパネル上に表示した当初の表示（基本画面）を示す図である。
　【図８】図８は、第１の実施の形態のタッチパネル上に表示した省力表示（簡単画面）を示す図である。
　【図９】図９は、第１の実施の形態の複合機の動作を示した処理フロー図である。
　【図１０】図１０は、タッチパネル上に表示したＩＤおよびパスワードの要求画面を示す図である。
　【図１１】図１１は、タッチパネル上に表示したフォルダ群を示す図である。
　【図１２】図１２は、第１の実施形態の動作を示したシーケンス図である。
　【図１３】図１３は、タッチパネル上に表示されるサムネイル画像の一覧の例を示した図である。
　【図１４】図１４は、タッチパネル上に表示されるファイル名一覧の例を示した図である。
　【図１５】図１５は、第１の実施形態のタッチパネル上に表示した当初の表示（基本画面）を示す図である。
　【図１６】図１６は、第１の実施形態の変形例にかかる表示処理部がタッチパネル上に表示するサムネイル画像一覧の例を示した図である。
　【図１７】図１７は、第２の実施の形態の閲覧・取得管理テーブルの構成を示した図である。
　【図１８】図１８は、第２の実施の形態にかかる複合機の構成を示すブロック図である。
　【図１９】図１９は、第２の実施の形態にかかる複合機が画像データを取得するまでの処理手順を示した処理フロー図である。
　【発明を実施するための形態】
　【０００８】
　以下に添付図面を参照して、この発明にかかる印刷装置の最良な実施の形態（以下、「実施形態」という。）を詳細に説明する。なお、本実施形態の動作条件項目として、以下に示すような各種キーやアイコンを例として説明する。
　【０００９】
　本実施の形態は、通信制御装置を備える印刷装置であり、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能、受信したファックス文書やコピー文書を内蔵したハードディスクに蓄積する蓄積機能等を複合した印刷装置の一種である、いわゆるＭＦＰ（Ｍｕｌｔｉ　Ｆｕｎｃｔｉｏｎ　Ｐｅｒｉｐｈｅｒａｌ）と称される複合機２１に適用した例を示す。
　【００１０】
　また、本実施の形態では、印刷装置を複合機に適用した例について説明しているが、このような複合機に限らず、他の電子機器に適用しても良い。この電子機器の例としては、複写装置やファクシミリ装置等のビジネス環境に備えられているビジネスオフィス機器が考えられる。これらビジネスオフィス機器に対して当該印刷装置を適用することで、オフィス環境に存在する装置間の連携が図ることができる。
　【００１１】
　図１は、本実施の形態にかかる複合機２１と、この複合機２１に通信ネットワークを介して接続される多数の外部装置を示した図である。図１に示すように、複合機２１は、ＬＡＮ１１を介して、複数の外部装置（他の複合機２２、プリンタ装置２３、ファクシミリ装置２４、スキャナ２５、ＰＣ（Ｐｅｒｓｏｎａｌ　Ｃｏｍｐｕｔｅｒ）２６、デジタルテレビ２７、管理サーバ２８ｂ等）と接続されている。この複合機２１は、インターネット１２を介して、外部装置（管理サーバ２８ａ、ノートＰＣ３３等）と接続される。そして複合機２１は、これら外部装置から受信したデータ（例えばデジタルテレビ２７が受信したデータ放送等）を、上述した機能を用いて処理することができる。
　【００１２】
　さらに、管理サーバ２８ａは、インターネット１２、携帯電話網１３及び最寄りの基地局１４を介して外部装置、（カーナビゲーション装置（以下、「自動車」を含む）２９、携帯電話機（以下、「ＰＨＳ電話機」及び「ＰＤＡ」を含む）３０、ゲーム機３１、デジタルカメラ３２等）と相互通信可能に接続される。
　【００１３】
　また、外部装置はネットワークに接続可能な装置であれば良く、携帯電話機３０以外には、例えばカーナビゲーション装置２９、ゲーム機３１、デジタルカメラ３２、ノートＰＣ３３等でも良い。なお、外部装置の他の例としては、図示していないが腕時計、自動販売機、水道メータ、ガスメータ等でもよい。これら外部装置が、インターネット１２又は携帯電話網１３等のネットワークを介して情報を送受信することになる。また、これら外部装置は、携帯電話機等と接続して通信しても良いし、各機器内に装着された独自の通信手段によって通信してもよい。また、本実施の形態にかかる外部装置は、記憶部を備え、当該記憶部に画像データを保存する。
　【００１４】
　また、図示していないが、ネットワークには、ＳＭＴＰ（Ｓｉｍｐｌｅ　Ｍａｉｌ　Ｔｒａｎｓｆｅｒ　Ｐｒｏｔｏｃｏｌ）サーバ、ＦＴＰ（Ｆｉｌｅ　Ｔｒａｎｓｆｅｒ　Ｐｒｏｔｏｃｏｌ）サーバ、配信サーバなどのサーバ装置が接続されていてもよい。また、配信サーバは、公衆ネットワークを介して電子メールの送受信やファイル転送や、オフィス外のファックス装置と通信することができる。これらサーバ装置を介して、複合機２１は、様々な情報を送受信可能となる。
　【００１５】
　図１に示すように、複合機２１がネットワークに接続されたことで、ＰＣ２６、ノートＰＣ３３等の外部装置（ビジネスオフィス機器等を含む）と相互に通信することが可能となり、ハードディスク等の記憶装置を内蔵することで、いわゆるネットワーク複合機へと進化し、ユーザの様々なニーズに応えることができることとなった。
　【００１６】
　管理サーバ２８ａ、２８ｂは、上記の外部装置と複合機２１との間で送受信される情報を管理するサーバであり、Ｗｅｂサーバとしての機能を含めても良い。また、これら管理サーバは、管理サーバ２８ｂのように複合機２１と同じＬＡＮ１１内に接続されていても良いし、管理サーバ２８ａのようにインターネット１２等の公衆ネット回線を介して接続されていても良い。また、ネットワークを介して接続される管理サーバの数を制限するものではなく、１個でも良いし、複数個でも良いし、必要なければ設置しなくともよい。
　【００１７】
　また、管理サーバ２８ａ、２８ｂは、汎用的なコンピュータであり、画像データを管理する画像管理機能が実装されている。当該画像管理機能は、例えば、ＣＤ−ＲＯＭ等の記憶媒体又はネットワークを介してインストールされているプログラムとする。そして当該プログラムが、管理サーバ２８ａ及び管理サーバ２８ｂのＣＰＵにより実行されることで、後述する機能を実行する。
　【００１８】
　管理サーバ２８ａ、２８ｂは、常時ネットワーク（例えば携帯電話網１３、インターネット１２）接続していない外部装置に格納されている画像データを管理する。本実施の形態では、これら外部装置（例えば、例えばカーナビゲーション装置２９、ゲーム機３１、デジタルカメラ３２、ノートＰＣ３３）が携帯電話網１３又はインターネット１２に接続された際、管理サーバ２８ａが、これら外部装置と同期をとり、当該外部装置が保持している画像データを、管理サーバ２８ａの記憶部内に格納する。すなわち、管理サーバ２８ａが、これら外部装置に蓄積されている全ての画像データを集中管理する。また、当該管理は、管理サーバ２８ａではなく、管理サーバ２８ｂで行ってもよい。
　【００１９】
　また、管理サーバ２８ａ、２８ｂは、管理している画像データの情報を画像データ管理テーブルで管理する。図２は、管理サーバ２８ａ、２８ｂが保持する画像データ管理テーブルの構造の例を示した図である。図２に示すように、画像データ管理テーブルでは、画像データの作成日と、画像データが格納されたファイル格納場所と、ページ数とを対応付けて管理している。そして、管理サーバ２８ａ及び管理サーバ２８ｂは、複合機２１からの画像データの送信要求に応じて、画像データを送信する処理を行う。
　【００２０】
　また、利用者が、図１に示すパソコン２６等を操作して、複合機２１に画像データを出力して印刷することは既に行われている。しかしながら、近年、複合機におけるインターフェース技術の向上に伴い、複合機を操作して、他の外部装置に格納されている画像データを利用したいという要求が向上している。そこで、本実施の形態では、利用者は、複合機２１を操作し、当該複合機２１からパソコン２６などの外部装置に対して画像データの出力を要求することで、外部装置から印刷対象となる画像データを取得している。これにより、複合機２１に格納されていない画像データを印刷等に用いることができる。このように、複合機２１が外部装置に対して積極的に画像データの出力を要求する技術は、従来の複合機に用いられていない特徴である。
　【００２１】
　図３は、かかる複合機２１のハードウェア構成を示すブロック図である。本図に示すように、この複合機２１は、コントローラ３１０とエンジン部（Ｅｎｇｉｎｅ）３６０とをＰＣＩ（Ｐｅｒｉｐｈｅｒａｌ　Ｃｏｍｐｏｎｅｎｔ　Ｉｎｔｅｒｃｏｎｎｅｃｔ）バスで接続した構成となる。コントローラ３１０は、複合機２１全体の制御と描画、通信、操作部３２０からの入力を制御するコントローラである。エンジン部３６０は、ＰＣＩバスに接続可能なプリンタエンジン等であり、たとえば白黒プロッタ、１ドラムカラープロッタ、４ドラムカラープロッタ、スキャナまたはファックスユニット等である。なお、このエンジン部３６０には、プロッタ等のいわゆるエンジン部分に加えて、誤差拡散やガンマ変換等の画像処理部分が含まれる。
　【００２２】
　コントローラ３１０は、ＣＰＵ３１１と、ノースブリッジ（ＮＢ）３１３と、システムメモリ（ＭＥＭ−Ｐ）３１２と、サウスブリッジ（ＳＢ）３１４と、ローカルメモリ（ＭＥＭ−Ｃ）３１７と、ＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）３１６と、ハードディスクドライブ（ＨＤＤ）３１８とを有し、ノースブリッジ（ＮＢ）３１３とＡＳＩＣ３１６との間をＡＧＰ（Ａｃｃｅｌｅｒａｔｅｄ　Ｇｒａｐｈｉｃｓ　Ｐｏｒｔ）バス３１５で接続した構成となる。また、ＭＥＭ−Ｐ３１２は、ＲＯＭ（Ｒｅａｄ　Ｏｎｌｙ　Ｍｅｍｏｒｙ）３１２ａと、ＲＡＭ（Ｒａｎｄｏｍ　Ａｃｃｅｓｓ　Ｍｅｍｏｒｙ）３１２ｂとをさらに有する。
　【００２３】
　ＣＰＵ３１１は、複合機２１の全体制御をおこなうものであり、ＮＢ３１３、ＭＥＭ−Ｐ３１２及びＳＢ３１４からなるチップセットを有し、このチップセットを介して他の機器と接続される。
　【００２４】
　ＮＢ３１３は、ＣＰＵ３１１とＭＥＭ−Ｐ３１２、ＳＢ３１４、ＡＧＰ３１５とを接続するためのブリッジであり、ＭＥＭ−Ｐ３１２に対する読み書き等を制御するメモリコントローラと、ＰＣＩマスタ及びＡＧＰターゲットとを有する。
　【００２５】
　ＭＥＭ−Ｐ３１２は、プログラムやデータの格納用メモリ、プログラムやデータの展開用メモリ、プリンタの描画用メモリ等として用いるシステムメモリであり、ＲＯＭ３１２ａとＲＡＭ３１２ｂとからなる。ＲＯＭ３１２ａは、プログラムやデータの格納用メモリとして用いる読み出し専用のメモリであり、ＲＡＭ３１２ｂは、プログラムやデータの展開用メモリ、プリンタの描画用メモリ等として用いる書き込み及び読み出し可能なメモリである。
　【００２６】
　ＳＢ３１４は、ＮＢ３１３とＰＣＩデバイス、周辺デバイスとを接続するためのブリッジである。このＳＢ３１４は、ＰＣＩバスを介してＮＢ３１３と接続されており、このＰＣＩバスには、ネットワークインターフェース（Ｉ／Ｆ）部等も接続される。
　【００２７】
　ＡＳＩＣ３１６は、画像処理用のハードウェア要素を有する画像処理用途向けのＩＣ（Ｉｎｔｅｇｒａｔｅｄ　Ｃｉｒｃｕｉｔ）であり、ＡＧＰ３１５、ＰＣＩバス、ＨＤＤ３１８及びＭＥＭ−Ｃ３１７をそれぞれ接続するブリッジの役割を有する。このＡＳＩＣ３１６は、ＰＣＩターゲット及びＡＧＰマスタと、ＡＳＩＣ３１６の中核をなすアービタ（ＡＲＢ）と、ＭＥＭ−Ｃ３１７を制御するメモリコントローラと、ハードウェアロジック等により画像データの回転等をおこなう複数のＤＭＡＣ（Ｄｉｒｅｃｔ　Ｍｅｍｏｒｙ　Ａｃｃｅｓｓ　Ｃｏｎｔｒｏｌｌｅｒ）と、エンジン部３６０との間でＰＣＩバスを介したデータ転送をおこなうＰＣＩユニットとからなる。このＡＳＩＣ３１６には、ＰＣＩバスを介してＦＣＵ（Ｆａｘ　Ｃｏｎｔｒｏｌ　Ｕｎｉｔ）３３０、ＵＳＢ（Ｕｎｉｖｅｒｓａｌ　Ｓｅｒｉａｌ　Ｂｕｓ）３４０、ＩＥＥＥ１３９４（ｔｈｅ　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ　１３９４）インターフェース３５０が接続される。
　【００２８】
　ＭＥＭ−Ｃ３１７は、コピー用画像バッファ、符号バッファとして用いるローカルメモリであり、ＨＤＤ（Ｈａｒｄ　Ｄｉｓｋ　Ｄｒｉｖｅ）３１８は、画像データの蓄積、プログラムの蓄積、フォントデータの蓄積、フォームの蓄積を行うためのストレージである。
　【００２９】
　ＡＧＰ３１５は、グラフィック処理を高速化するために提案されたグラフィックスアクセラレーターカード用のバスインターフェースであり、ＭＥＭ−Ｐ３１２に高スループットで直接アクセスすることにより、グラフィックスアクセラレーターカードを高速にするものである。
　【００３０】
　本実施の形態にかかる操作部３２０に含まれるタッチパネルは、複写機、ファクシミリ、プリンタ等の各機能を単独に有する装置のタッチパネルであっても良いし、各機能を重複して有する複合機のタッチパネルであっても良い。
　【００３１】
　図３に示すＣＰＵ３１１による制御によって操作部３２０（下記、タッチパネル６００を含む）のキー等の押下の認識、表示等が行われる。
　【００３２】
　また、ＲＯＭ２１２ａには、閲覧・取得管理ＤＢ（Ｄａｔａ　Ｂａｓｅ）１０が構築されている。この閲覧・取得管理ＤＢ１０は、図４に示すようなレイアウトの閲覧・取得管理テーブルによって構成されており、使用者毎に閲覧又は取得可能なフォルダデータを管理するためのＤＢである。更に、ＲＯＭ２１２ａには、後述のステップ（Ｓ１〜Ｓ８）を実行するためのプログラムが記憶されている。
　【００３３】
　図５は、第１の実施の形態にかかる複合機２１において、上述したプログラムで実現される構成を示すブロック図である。本図に示すように複合機２１の内部は、通信処理部５０１と、画像取得部５０２と、サムネイル生成部５０３と、表示処理部５０４と、選択部５０５と、印刷部５０６と、を備える。
　【００３４】
　通信処理部５０１は、後述する画像取得部５０２等に従って、ネットワーク（ＬＡＮ１１、インターネット１２及び携帯電話網１３）を介して外部装置とのデータの送受信処理を行う。
　【００３５】
　画像取得部５０２は、画像データ要求部５１１と、フォルダデータ要求部５１２と、フォルダデータ取得部５１３とを備え、外部装置の記憶部に記憶されている画像データを取得する。また、画像取得部５０２は、画像データを取得する際、通信処理部５０１に対して、画像データの受信処理を要求する。
　【００３６】
　画像データ要求部５１１は、外部装置に対して画像データの送信要求を行う。これにより、通信部５０１が、当該送信要求を、外部装置に対して送信処理する。そして、画像取得部５０２は、これにより、画像取得部５０２が、要求先の外部装置から画像データを取得することができる。なお、外部装置の記憶部においてフォルダ単位で画像データが管理されている場合に、複合機２１が当該フォルダ単位で画像データの送信要求を行うのであれば、以下に示すフォルダデータ要求部５１２で送信要求を行う。
　【００３７】
　フォルダデータ要求部５１２は、外部装置に対して、各フォルダに含まれている画像データの送信要求を行う。これにより、通信部５０１が、当該送信要求を、外部装置に対して送信処理する。本実施の形態では、フォルダデータ要求部５１２は、利用者がフォルダを指定したタイミングでフォルダの画像データの送信要求を行う。なお、本実施の形態は、送信要求のタイミングをこのようなタイミングに制限するものではなく、利用者がフォルダを指定する前に、予め送信要求を行ってもよい。
　【００３８】
　フォルダデータ取得部５１３は、フォルダデータ要求部５１２の送信要求に応答した外部装置から、通信部５０１による受信処理を経由して、当該フォルダに含まれている画像データ及びフォルダデータを取得する。
　【００３９】
　サムネイル生成部５０３は、画像取得部５０２が取得した画像データから、サムネイル画像データを生成する。
　【００４０】
　表示処理部５０４は、生成されたサムネイル画像データを、後述する操作部３２０のタッチパネル上に表示する処理を行う。なお、表示態様の詳細については後述する。
　【００４１】
　選択部５０５は、印刷対象となる画像データを選択する。本実施の形態では、利用者が操作部３２０上に表示されたサムネイル画像を選択した場合に、選択部５０５は、利用者により選択されたサムネイル画像の生成元の画像データを、印刷対象として選択する。また、選択部５０５は、画像データを印刷対象として複数選択しても良い。また、選択部５０５は、外部装置毎に、当該外部装置の記憶部に記憶された画像データを１つ又は複数選択しても良い。
　【００４２】
　印刷部５０６は、選択部５０５により選択された画像データの印刷する処理を行う。また、印刷部５０６は、選択部５０５により複数の画像データが選択された場合、選択された複数の画像データを一括して印刷する処理を行う。
　【００４３】
　図４に戻り、閲覧・取得管理ＤＢ１０は、ユーザＩＤと、パスワードと、閲覧・取得可能フォルダとを対応付けて管理している。また、フィールド“閲覧・取得可能フォルダ”は、当該ユーザが閲覧・（画像データの）取得が可能なフォルダを示している。また、当該フィールドには、ネットワークを介して接続された外部装置を閲覧・取得可能なフォルダとして設定しても良い。さらに、当該フィールドには、外部装置内の所定のフォルダを閲覧・取得可能なフォルダとして設定しても良い。さらに、当該フィールドには、ＵＲＬを設定することもできる。これにより、設定されたＵＲＬで示されたサイト情報をフォルダ又は画像データとして閲覧・取得することも可能となる。
　【００４４】
　図４に示した例では、“ｕｓｅｒ　００１”で識別されるユーザは、“ｈｔｔｐ：／／ｔｅｓｔ．ｊｐ／”のサイトが閲覧・取得（印刷含む）できると共に、デジタルカメラ、ＰＣ等に保持されている画像データを閲覧・取得することができることを示している。
　【００４５】
　図６は、本実施形態の操作部３２０の概略構成を示す平面図である。この図に示すように、操作部３２０には、タッチパネル６００を中心にテンキー（エンターキー）６０１、スタートキー６０２、クリア／ストップキー６０３、プログラムキー６０４、リセット／予熱キー６０５、割り込みキー６０６、試しコピーキー６０７、設定キー６０８等の各部が設けられている。
　【００４６】
　このうち、タッチパネル６００は、印刷装置の出力色や出力用紙サイズ等の動作条件を示したアイコン等を表示するとともに、使用者によるアイコンの押下により、これらの動作条件の設定を受け付けることができる操作表示ユニットの一部としての液晶表示器である。なお、タッチパネル６００を押下したことを検知する検出回路や座標検出方法については周知であるので説明を省略する。テンキー（エンターキー）６０１は、コピー枚数などの数値を入力するテンキーと、入力した数値を確定するエンターキーの機能を兼ね備える。スタートキー６０２は、コピーを開始するために押下する。クリア／ストップキー６０３は、入力した数値を取り消したり、コピーを中断又は中止したりするのに使用する。プログラムキー６０４は、よく使う設定を登録したり呼び出したりするためのキーである。リセット／予熱キー６０５は、設定した内容を取り消し、また、約１秒以上押すと機械を予熱の状態にする。試しコピーキー６０７により、ミスコピーを防ぐために完成されたコピーの１部の仕上がりを確認することができる。設定キー６０８は、使用条件に合わせて初期設定値や操作条件を変更するためのキーである。
　【００４７】
　図７には、タッチパネル６００上に表示される基本画面の例を示した図である。この基本画面には、メモリで読み取った原稿枚数・セットした枚数（部数）・コピーした枚数（部数）を表示されるとともに、操作の状態、操作手順、エラー等のメッセージを表示する表示領域８０ａが表示される。また、基本画面には、表示領域８０ａの左下側に、原稿に対する操作に関する第１タッチパネル領域８０ｂ（表示領域８０ｂ）と、表示領域８０ａの右下側に、用紙サイズ・変倍等どのようなコピーを取るかという操作に関する第２タッチパネル領域８０ｃ（表示領域８０ｃ）が表示される。更に、表示領域８０ｂ、８０ｃの下側には、印刷中の機能名称や仕上がり時間、印刷装置全体のエラー状態等を表示する表示領域８０ｄが表示される。また、表示領域８０ａの上側には、左側に１つのジョブであることを表すタブ８０ｅ、及び右側にタブ８０ｅが表すタブ全体のかかる機能である文書蓄積キーと設定内容確認キーを表示する第３タッチパネル領域８０ｆ（表示領域８０ｆ）が表示される。なお、第１〜第３タッチパネル領域８０ｂ、８０ｃ、８０ｆの分類は単なる便宜上の分類であり、タッチパネル６００では各タッチパネル領域８０ｂ、８０ｃ、８０ｆにまたがる表示なども可能である。
　【００４８】
　このうち、特に、表示領域８０ｂは、出力色の選択を受け付ける出力色受付領域８２、原稿画像が文字であるか写真であるか、これらの混合であるか、或いは、その他の原稿種類（複写原稿、淡い原稿など）であるかの選択を受け付ける原稿種類受付領域８３、コピー出力の濃度の設定を受け付ける濃度受付領域８４、及び、原稿サイズやＡＤＦ（自動原稿送り装置）の設定、印刷装置への原稿セット方向の設定を受け付ける特殊原稿受付領域８５によって構築されている。
　【００４９】
　一方、表示領域８０ｃは、出力用紙のサイズの選択を受け付ける用紙サイズ受付領域８６、等倍や所定の読取原稿のサイズから所定の出力用紙のサイズへの定型変倍等の選択を受け付ける定型変倍受付領域８７、読取原稿及び出力用紙がそれぞれ片面印刷か両面印刷かの選択を受け付ける両面受付領域８８、ソート・スタック・ステープル・パンチ等のコピーの後処理の選択を受け付ける後処理受付領域８９、並びに、変倍、編集コピーなどの機能項目の設定を受け付ける詳細機能受付領域９０によって構築されている。なお、用紙サイズ受付領域８６における左から２番目の表示項目を例にとって説明すると、黒い線で描画された矩形はキーを表し、このキー上には、用紙の残量及び用紙の出力向きを示すアイコンと、「Ａ４」という文字が表示されている。また定型変倍受付領域８７における左から１番目の表示項目を例にとると、この黒い線で描画された矩形もキーを表しており、キー上には「等倍」という文字が表示されている。さらに両面受付領域８８における左から１番目の表示項目についても、黒い矩形の線はキーを表し、片面原稿を両面にコピーする機能を表すアイコンが表示されている。
　【００５０】
　更に、表示領域８０ｄには、図１に示す各外部装置に蓄積されているフォルダデータ（ファイルデータを含む）を閲覧したり、上記外部装置からファイルデータを取得する場合に、使用者が選択する「電子文書」ボタン９９が表示されている。
　【００５１】
　以上のように、図７、後述する図８上に表示される黒い線で描画された矩形はキーを表し、そのキー上には、アイコンあるいは文字、またはアイコンと文字の両方が表示されている。以下、キー、文字及びアイコンと表記されている部分については、特に説明がない限り上記に説明した項目を指しているものとする。また単にキーと表示されている場合には、これも特に説明がない限りキー上に表示される文字、アイコン、またはその両方を含むものとする。
　【００５２】
　さて、本実施形態に係るタッチパネル６００は、表示画面の表示を使用者の好みに応じて、図８に示すような当初の表示（基本画面）から省略表示（簡単画面）に切り換え変更できるようになっており、事前に使用者がよく利用する機能のキーや操作手順やエラー表示などの説明文等のみを表示させることができる。
　【００５３】
　この簡単画面とは、基本画面をなるべくシンプルに簡略化し、そこに表示された入力キーを選択する（キーを押す）ことによって、ポップアップ画面が現われる、または画面表示が変更されるなどして、表示項目に関連する次の項目が表示され、その中の入力キーを選択することによって装置への指示入力が行われるようにしたものである。この簡単画面は、操作の簡単さや表示の分かり易さを求める使用者に適した表示となっている。
　【００５４】
　本実施形態においては、図７に示す基本画面から図８に示すような簡単画面に切り換えたり、図８に示すような簡単画面から図６に示す基本画面の表示に切り換えることができる。図８に示す簡単画面は、図７に示す基本画面の表示領域８０ａ、表示領域８０ｂ、表示領域８０ｃ、及び表示領域８０ｄが、それぞれ順に表示領域１００ａ、表示領域１００ｂ、表示領域１００ｃ、及び表示領域１００ｄに対応している画面である。また、簡単画面には、基本画面における表示領域８０ｅ、及び表示領域８０ｆに対応する表示領域が省略されている。
　【００５５】
　このうち、表示領域１００ａには、表示領域８０ａに表示されている原稿枚数・セットした枚数（部数）・コピーした枚数（部数）の表示領域８１が、１００ａの上部に横長に配置され、比較的大きな文字となった表示領域１０１として表示されている。また、表示領域１００ａに示すように、操作手順やエラーなどのメッセージの表示が表示領域８０ａに比べ大きい文字となっている。このように、表示領域１００ａの上部に横長に配置したのは、表示領域１００ａに表示するメッセージの文字を大きくしても表示領域を確保するためである。
　【００５６】
　また、表示領域１００ｂは、出力色の選択を受け付ける出力色受付領域１０２、画像形成装置にセットする原稿のセット方向の設定を受け付ける原稿セット方向受付領域１０５、及び画面色を反転することができる画面色反転キー１１１によって構築されている。
　【００５７】
　これらのうち、出力色受付領域１０２に表示されているキーは３つであることに対して、同領域に該当する図７の出力色受付領域８２で表示されているキーは５つとなっており、２つのキー（２色キー、単色キー）の表示が削除されていることになる。この２つのキーについては一般的な操作を行う使用者はほとんど使用することがないため、簡単画面では表示を削除している。一方残りの３つのキーについてはどのような使用者でも使用する頻度が高いため簡単画面でも表示を行うようにし、２つのキーを削除した分の表示領域を利用することで、基本画面に比べキーを大きくし、操作しやすいものにしている。
　【００５８】
　また、原稿セット方向受付領域１０５の機能は、図７に示す表示領域８０ｂに表示されている特殊原稿受付領域８５の特殊原稿設定キーを押下した場合に表示される機能の１つで、原稿のタテ置きセットとヨコ置きセットの２つのキーからなっている。これらの２つのキーは，複雑な機能設定を必要としない使用者に対しても必要な機能（どのような操作をする場合でも必要な機能）のため、表示領域１０５として独立して簡単画面上に表示している。一方特殊原稿受付領域８５の特殊原稿設定キーを押下した場合に表示される機能のうち原稿セット方向受付領域１０５に該当しない機能（原稿のタテ置きセットとヨコ置きセット以外の項目）については、一般的な操作を行う場合には必ずしも必要な機能ではないため、簡単さや表示の分かり易さを求める使用者に対しては必要ないことから表示は行わないようにしている。なお、画面色反転キー１１１については、このキーを選択すると、画面の表示色が反転するようになっている。すなわち、黒っぽい部分は白っぽく、白っぽい部分は黒っぽくなるように表示が切り替わるため、反転していない表示では見づらいと感じている使用者にとっても見やすく操作しやすい画面表示となる。
　【００５９】
　タッチパネル６００の表示領域８０ｃの省略表示は図８の表示領域１００ｃとして示されている。表示領域１００ｃは、出力用紙のサイズの選択を受け付ける用紙サイズ受付領域１０６、等倍や所定の読取原稿のサイズから所定の出力用紙のサイズへの定型変倍等の選択を受け付ける定型変倍受付領域１０７、読取原稿及び出力用紙がそれぞれ片面印刷か両面印刷かの選択を受け付ける両面受付領域１０８、ソート・スタック・ステープル・パンチ等のコピーの後処理の選択を受け付ける後処理受付領域１０９によって構築されている。
　【００６０】
　用紙サイズ受付領域１０６では、用紙サイズを自動で選択する自動用紙選択キーと用紙サイズを任意に選択する画面を展開する用紙選択キー及び選択した用紙サイズの結果を表示する領域の３つの項目からなっている。用紙サイズ選択については操作設定が必ずしも必要ではないが、どのような使用者にとっても比較的使用頻度の高い機能である。そこでまず図８の簡単画面上ではキーや文字を大きくし、かつ用紙サイズ選択をしやすくするために前述のように３つの項目のみを表示している。用紙サイズ選択を使用しない場合には自動用紙選択キーのみを押下すればよく、用紙サイズ選択を使用したい場合には用紙選択キーを押下し、サイズ選択した結果は用紙選択キーの右側の表示領域に表示される。
　【００６１】
　更に、図８の簡単画面の定型変倍受付領域１０７、両面受付領域１０８、後処理受付領域１０９は、それぞれ図７の基本画面の定型変倍受付領域８７、両面受付領域８８及び後処理受付領域８９に対応しているが、定型変倍受付領域１０７で表示しているキーは定型変倍受付領域８７に比べ１つ少なく、両面受付領域１０８では両面受付領域８８に比べ２つ、後処理受付領域１０９では後処理受付領域８９に比べ５つ少なくなっており、それぞれの表示領域で表示されるキーの数が削除された構成になっている。基本画面の定型変倍受付領域８７、両面受付領域８８及び後処理受付領域８９は各キーに使用者が好みの機能を予め割り付けておくことができる表示領域であり、簡単画面でも同じように使用者が好みの機能を割り付けておくことができるようになっている。割り付けることのできるキーの数は少なくなっているが、簡単画面を使用する使用者はよく使う機能（割付が必要な機能）の数も少ないことから、数が足りなくて操作が困ることはない。従って簡単画面の定型変倍受付領域１０７、両面受付領域１０８、後処理受付領域１０９では使用者が必要な機能のキーのみを大きく使いやすく表示することができている。
　【００６２】
　また、図７の基本画面に対し図８の簡単画面では、表示領域８０ｅ、表示領域８０ｆ及び詳細機能受付領域９０の表示を行わないようにしている。これらの領域に表示されている機能は基本的な機能設定には必ずしも必要な機能ではないために表示を行わず、その余った領域分を用いて、他の表示領域の確保を行っている。
　【００６３】
　また、図７の表示領域８０ｄと図８の表示領域１００ｄについては、基本画面と簡単画面で表示を変えていない。この部分は機器全体にかかわる表示であり、重要なエラー表示なども行う部分である。しかし、通常状態では特に操作を必要とするところではないため、基本画面と簡単画面で表示を変えることは行っていない。更に、簡単画面にも基本画面と同様に、表示領域１００ｄに「電子文書」キー９９が表示され、基本画面だけでなく簡単画面からでも、フォルダデータの閲覧や取得の処理が可能である。
　【００６４】
　続いて、図９乃至図１５を用い、本実施形態に係る複合機２１を利用して各外部装置からフォルダデータを取得する方法を説明する（閲覧は省略する）。図９は、複合機２１の画像データの及びフォルダデータを取得する処理手順を示した処理フロー図である。また、以下では、図７及び図８の画面を、メイン画面として説明する。
　【００６５】
　通常、複合機２１は、図７又は図８に示すように、タッチパネル６００上に表示するメイン画面によって、「電子文書」キー９９を表示しており、フォルダデータの閲覧又は取得が可能であることを示している（ステップＳ１）。この状態で、使用者が「電子文書」キー９９を押下すると、複合機２１はタッチパネル６００上に、図１０に示すようなＩＤおよびパスワードの要求画面を表示する（ステップＳ２）。これにより、各外部装置の中で、使用者が閲覧又は取得可能なフォルダデータを制限したり、同一の外部装置に蓄積されている複数のフォルダデータの中で、使用者が閲覧又は取得可能なフォルダデータを制限することができる。
　【００６６】
　次に、使用者が、テンキー６０１等で自己のＩＤとパスワードを入力すると、複合機２１では、このＩＤとパスワードに基づいて図４に示すテーブルを検索し、使用者の閲覧又は取得制限のための認証を行う（ステップＳ３）。また、複合機２１が当該認証に失敗したと判断した場合（ステップＳ３：Ｎｏ）、ステップＳ１に戻る。また、複合機２１は当該認証に成功した判断した場合（ステップＳ３：Ｙｅｓ）ログイン処理を行った後、表示処理部５０４が、図１１に示す画面をタッチパネル６００に表示する。
　【００６７】
　次に、複合機２１では、タッチパネル６００上に図１１に示すような閲覧・取得可能な画像データのフォルダを表示した後、使用者からフォルダの選択を受け付ける（ステップＳ４）。
　【００６８】
　図１１は、表示処理部５０４が、タッチパネル６００上に表示するフォルダの選択受付画面の例を示した図である。図１１に示すように、表示処理部５０４は、使用者が画像データを閲覧・取得可能なフォルダ（ネットワークに接続された外部装置又は外部装置のフォルダを含む）を表示する。また、表示処理部５０４は、図１１に示すようにフォルダ名として、外部装置の名称や外部装置のディレクトリ名等を表示する。
　【００６９】
　また、図１１に示すように、表示処理部５０４は、デジタルカメラ３２等の常時ネットワークに接続されているわけではない外部装置又は当該外部装置のフォルダについても表示する。これは、管理サーバ２８ａ等が、これらデジタルカメラ３２等の画像データを、当該外部装置毎に管理しているために実現できる。そして、表示処理部５０４は、フォルダ名を表示する際に、管理サーバ２８ａ内のフォルダ名ではなく、管理サーバ２８ａの管理対象である外部装置名を表示する。これにより、利用者が画像データを閲覧・取得する際に、どのフォルダに格納されているのか判断することが容易になる。
　【００７０】
　ここでは、使用者Ａが取得処理を行った場合を説明する。図１２は、フォルダに格納された画像データの取得手順を示したフローチャートである。
　【００７１】
　使用者Ａが、図１１上の所望のフォルダ・アイコン“プリンタ／ａ”及び“携帯電話”の２つ選択すると、複合機２１のフォルダデータ要求部５１２が、フォルダデータ“ａ”を蓄積しているプリンタ装置２３に対してフォルダデータ“ａ”の送信を要求する（ステップＳ１１）。このステップＳ１１の処理と共に、フォルダデータ要求部５１２が、フォルダデータ“携帯電話”を蓄積している管理サーバ２８ａに対して、フォルダデータ“携帯電話”の送信を要求する（ステップＳ１２）。
　【００７２】
　これにより、プリンタ装置２３が、複合機２１に対してフォルダデータ“ａ”を送信する（ステップＳ１３）。そして、フォルダデータ取得部５１３が、送信されてきたフォルダデータ“ａ”を取得する。
　【００７３】
　また、管理サーバ２８ａは、複合機２１に対してフォルダデータ“携帯電話”を送信する（ステップＳ１４）。そして、フォルダデータ取得部５１３が、送信されてきたフォルダデータ“携帯電話”を取得する。これにより、複合機２１と、外部装置とのフォルダデータを取得するための処理が終了する。
　【００７４】
　図９に戻り、複合機２１のフォルダデータ取得部５１３は、プリンタ装置２３からフォルダデータ“ａ”を取得するとともに、管理サーバ２８ａからフォルダデータ“携帯電話”を取得する（ステップＳ５）。
　【００７５】
　次に、サムネイル生成部５０３は、取得したフォルダデータ“ａ”，“携帯電話”内の全てのファイルデータのサムネイル画像データを生成する（ステップＳ６）。そして、表示処理部５０４が、タッチパネル６００上に図１３に示すようなサムネイル画像を表示することで、使用者からサムネイル画像の選択を受け付ける（ステップＳ７）。
　【００７６】
　図１３は、タッチパネル６００上に表示されるサムネイル画像の一覧の例を示した図である。図１３に示すように、表示処理部５０４は、サムネイル画像データ毎に、ファイル名及び当該画像データの作成日を表示する。これらのデータはフォルダデータ取得部５１３が外部装置から取得したものとする。そして、使用者がサムネイル画像を選択すると、表示処理部５０４は、チェックしたことを示すチェックマーク（例えばチェックマーク１３０１）を表示する。そして、選択部５０５が、使用者が選択したサムネイル画像の生成元の画像データを、印刷対象として選択する。
　【００７７】
　また、図１３のサムネイル画像のチェックマークの横の数字は、当該画像データを印刷する部数を示している。このように使用者は、印刷する部数を任意に変更することができる。また、サムネイル画像毎に表示する情報はこれらに制限するものではなく、印刷時のページ数等を表示しても良い。
　【００７８】
　図１３に示すように、表示処理部５０４は、選択された画像データの一覧を“Ｓｅｌｅｃｔｅｄ　Ｄｏｃｕｍｅｎｔ”欄１３０２に表示する。当該“Ｓｅｌｅｃｔｅｄ　Ｄｏｃｕｍｅｎｔ”欄１３０２は、選択された画像データのサムネイルと、ページ情報表示欄１３０３とが表示される。このページ情報表示欄１３０３には、表示しているサムネイルのページ番号と、合計ページ数と、表示ページを変更するための方向キーと、が表示される。そして、使用者により方向キーが押下された場合に、表示処理部５０４は、移動先のページのサムネイル画像を、“Ｓｅｌｅｃｔｅｄ　Ｄｏｃｕｍｅｎｔ”欄１３０２内に表示すると共に、ページ情報表示欄１３０３内のページ番号を変更する。また、表示処理部５０４が任意のサムネイル画像を表示しているときに、利用者が“Ｒｅｍｏｖｅ”ボタン１３０４を押下した場合、選択部５０５は、当該サムネイル画像の生成元の画像データを、印刷対象から選択解除する。また、表示処理部５０４は、表示態様変更ボタン１３０５を表示する。利用者の表示態様変更ボタン１３０５の押下により、表示処理部５０４は、サムネイル画像を表示するか、ファイル名一覧を表示するかを変更する。なお、図１３に示した画面例は、サムネイル画像を表示した場合の例であり、次にファイル名一覧を表示した例について説明する。
　【００７９】
　図１４は、タッチパネル６００上に表示されるファイル名一覧の例を示した図である。図１４に示すように、表示処理部５０４は、画像データ毎に、選択されたか否かを示すチェックマーク、印刷部数、ファイル名、作成日時を表示する。なお、他に表示される情報は、図１３に示した画面例と同様なので説明を省略する。
　【００８０】
　図９に戻り、使用者が、図１３又は図１４で示した画面から、所望のサムネイルを選択して「ＯＫ」ボタンを選択すると、表示処理部５０４は、タッチパネル６００上に図１５に示すようなメイン画面を表示する（ステップＳ８）。このメイン画面には、表示態様（例えばキーの色など）が変化した「電子文書」キー９９’が表示され、電子データを取得済みであることを使用者に認識させることができる。続いて、使用者は、上記取得した電子データを印刷処理する場合には、図７や図８に示すメイン画面と同様に、出力用紙の選択や、印刷カラーの選択等を行い、通常の印刷設定と同じ設定を行う。これにより、印刷部５０６が、使用者が選択したサムネイル画像に係る画像データである本画像データを印刷出力することができる。
　【００８１】
　以上説明したように、本実施形態においては、複合機２１の外部から画像データを取得して印刷するというＰＵＬＬ型の印刷を行うことで、印刷対象データを増やすことができる。
　【００８２】
　また、外部から取得した画像データのサムネイル画像データを生成して、使用者に印刷対象を選択させることで、外部から取得可能な画像データ（本画像データ）が多数存在する場合でも、整理して印刷出力することができる。
　【００８３】
　更に、図７及び図８に示すように、タッチパネル６００上に異なる画面を表示した場合であっても、常に、「電子文書」キー９９を表示させることにより、様々な画面（図７、図８）から図１０に示す画像取得の画面に変移させることができるため、使用者の操作性を向上させることができる。
　【００８４】
　また、本実施の形態に係る画像データは、図、グラフ、写真データなどの一般的な画像データに限らず、ドキュメントファイル等も含むものとする。さらに、画像データは、プレゼンテーションファイル等を含めても良い。さらに、画像データは、図、グラフ、写真、文書等の組み合わせでも良い。また、画像データのフォーマット形式は、“ＪＰＥＧ”等の画像データのフォーマット形式のみならず、“ＤＯＣ”等のドキュメントファイル形式や、“ＰＰＴ”等のプレゼンテーションファイル形式あるいは表計算ソフト形式など、印刷装置で印刷対象となるファイル形式であればよい。
　【００８５】
　そして、複合機２１は、画像データのファイル形式がドキュメントファイル形式やプレゼンテーションファイル形式の場合でも、外部装置に保持されているか否かに限らず、当該画像データの１ページ目を示したサムネイル画像データを、タッチパネル６００に表示する。そして、上述した処理と同様に、複合機２１は、利用者から当該サムネイル画像データの選択を受け付けた場合に、当該サムネイル画像データで示されたドキュメントファイル形式やプレゼンテーションファイル形式による画像データの印刷処理を行う。
　【００８６】
　また、上述した実施の形態に限定されるものではなく、以下に例示するような種々の変形が可能である。
　【００８７】
（第１の実施の形態の変形例）
　上述した第１の実施の形態において、フォルダデータ要求部５１２が複数のフォルダデータの送信を要求した場合に、フォルダデータ取得部５１３が当該複数のフォルダデータを取得して、表示処理部５０４がこれら複数のフォルダデータ内に格納されていた画像データから生成したサムネイル画像の一覧を表示した。しかしながら、第１の実施の形態は、上述した表示手法に制限するものではない。そこで、第１の実施の形態の変形例では、フォルダの異なる表示例について説明する。なお、複合機２１の構成は、第１の実施の形態と同様なので説明を省略する。
　【００８８】
　本変形例では、表示処理部５０４が、図１１に示す表示画面を表示する。そして、タッチパネル６００は、フォルダの選択を１つのみ受け付ける。そして、使用者が、これらフォルダから１つのフォルダを選択した場合に、フォルダデータ要求部５１２及びフォルダデータ取得部５１３の上述した処理により、選択された１つのフォルダデータを取得する。そして、サムネイル生成部５０３が当該フォルダ内の画像データからサムネイル画像データを生成した後、表示処理部５０４が、当該フォルダ内のサムネイル画像の一覧を表示する。
　【００８９】
　図１６は、表示処理部５０４がタッチパネル６００上に表示するサムネイル画像一覧の例を示した図である。図１６に示すように、表示処理部５０４は、利用者が選択したフォルダ内に格納されている画像データと、当該フォルダ内に存在するフォルダの一覧を表示する。そして、利用者が表示されたフォルダを選択した場合には、表示処理部５０４は、上述した処理を行うことで、選択されたフォルダ内のフォルダ及び画像データを表示処理する。つまり、本変形例では、表示処理部５０４は、複数の外部装置を含めたツリー構造のフォルダ群において、当該ツリー内を移動するように、表示対象となるフォルダを変更していく。
　【００９０】
　そして、使用者が図１６に示した画面から画像データを選択した場合、表示処理部５０４は、第１の実施の形態の図１３又は図１４で示した“Ｓｅｌｅｃｔｅｄ　Ｄｏｃｕｍｅｎｔ”欄を表示して、選択された画像データのサムネイル画像を表示する。この選択された画像データは、フォルダを変更する処理が行われた場合も保持される。これにより、利用者は、複数の外部装置から印刷対象となる画像データを選択することができる。
　【００９１】
（第２の実施の形態）
　上述した第１の実施形態では、複合機２１でサムネイル画像データを生成することにしたが、これに制限するものではない。そこで、第２の実施の形態では、外部装置でサムネイルを生成する例について説明する。
　【００９２】
　本実施の形態では、デジタルカメラ３２のようにサムネイル画像データを生成できる外部装置は、当該外部装置に格納されている画像データから、サムネイル画像データを生成する。そして、常時ネットワークに接続されているわけではない外部装置の場合、当該外部装置がネットワークに接続された時、当該外部装置は、管理サーバ２８ａに対して、元の画像データと共に生成したサムネイル画像データを送信する。
　【００９３】
　また、本実施の形態では、プリンタ装置２３やファクシミリ装置２４等のように、常時ネットワークに接続されている外部装置においても、サムネイル画像データを生成可能な装置が存在するものとする。
　【００９４】
　また、カーナビゲーション装置２９やノートＰＣ３３等のサムネイル画像データの生成を行わない外部装置の場合、当該外部装置は、管理サーバ２８ａに対して、画像データを送信する。そして、管理サーバ２８ａは、受信した画像データからサムネイル画像データを生成し、当該サムネイル画像データを画像データと共に管理する。なお、このようなサムネイル画像データを生成する機能がない外部装置の場合、第１の実施の形態で説明した処理手順と同様の処理手順を行うこととして、説明を省略する。
　【００９５】
　また、管理サーバ２８ａ、２８ｂのＲＯＭ２１２ａには、サムネイル画像データも管理するために、第１の実施形態とは異なる閲覧・取得管理ＤＢ（Ｄａｔａ　Ｂａｓｅ）１７００が構築されている。
　【００９６】
　図１７は、閲覧・取得管理ＤＢ１７００の閲覧・取得管理テーブルの例を示した図である。図１７に示すように、閲覧・取得管理テーブルは、作成日と、サムネイル保管場所と、ファイル格納場所と、当該ファイルのページ数とを対応付けて管理している。管理サーバ２８ａが、このようなテーブルを保持することで、複合機等の要求に応じてサムネイル画像データ及びサムネイル画像データの生成元の画像データの送信が可能となる。
　【００９７】
　図１８は、第２の実施の形態にかかる複合機１８００の構成を示すブロック図である。上述した第１の実施の形態にかかる複合機２１とは、画像取得部５０２とは処理が異なる画像取得部１８０１に変更された構成を有している点で異なる。以下の説明では、上述した第１の実施の形態と同一の構成要素には同一の符号を付してその説明を省略している。
　【００９８】
　画像取得部１８０１は、画像データ要求部１８１１と、フォルダデータ要求部１８１２と、フォルダデータ取得部１８１４と、サムネイル要求部１８１３と、サムネイル取得部１８１５を備え、外部装置からサムネイル画像データ及びサムネイル画像データの生成元である画像データの取得を行う。
　【００９９】
　サムネイル要求部１８１３は、外部装置に対してサムネイル画像データの送信を要求する処理を行う。なお、外部装置の記憶部においてフォルダ単位で画像データが管理されている場合に、外部装置に対してフォルダ単位でサムネイル画像の送信要求を行うのであれば、以下に示すフォルダ要求部５１２で送信要求を行う。
　【０１００】
　サムネイル取得部１８１５は、サムネイル要求部１８１３の送信要求に応答した外部装置から、当該フォルダに含まれているサムネイル画像データを取得する。
　【０１０１】
　フォルダデータ要求部１８１２は、外部装置に対して、各フォルダに含まれているサムネイル画像データの送信要求を行う。
　【０１０２】
　フォルダデータ取得部１８１４は、フォルダデータ要求部１８１２の送信要求に応答した外部装置から、当該フォルダに含まれている画像データ及びフォルダデータを取得する。
　【０１０３】
　画像データ要求部１８１１は、外部装置に対して、利用者により選択されたサムネイル画像データの生成元となる画像データの送信要求を行う。これにより、画像取得部１８０１は、サムネイル画像データの生成元となる画像データを取得することができる。
　【０１０４】
　続いて、本実施形態に係る複合機１８００が、各外部装置から画像データを取得するまでの処理手順について説明する。図１９は、複合機１８００が画像データを取得するまでの処理手順を示した処理フロー図である。本処理手順では、複合機１８００とデータの送受信を行う装置が管理サーバ２８ａの場合について説明する。なお、ログイン処理については、第１の実施の形態と同様なので説明を省略する。
　【０１０５】
　まず、表示処理部５０４が、タッチパネル６００上に図１１に示すような閲覧・取得可能な画像データのフォルダを表示した後、使用者からフォルダの選択を受け付ける（ステップＳ１９０１）。
　【０１０６】
　次に、利用者からフォルダの選択を受け付けた場合、フォルダデータ要求部５１２が、選択されたフォルダデータの送信要求を、当該フォルダを有する管理サーバ２８ａに対して出力する（ステップＳ１９０２）。
　【０１０７】
　そして、管理サーバ２８ａは、複合機１８００からのフォルダデータの送信要求を受信処理する（ステップＳ１９１１）。なお、管理サーバ２８ａでは、上述したようにフォルダ内の画像データのサムネイル画像は生成されている。
　【０１０８】
　次に、管理サーバ２８ａは、受信した送信要求に対応するフォルダデータ（フォルダ内のサムネイル画像データ及びフォルダ内に含まれているフォルダの情報）を、複合機１８００に対して送信する（ステップＳ１９１２）。
　【０１０９】
　そして、複合機１８００のフォルダデータ取得部１８１４は、管理サーバ２８ａから送信されてきたフォルダデータを取得する（ステップＳ１９０３）。なお、当該フォルダデータには、フォルダ内に含まれているフォルダの情報及びフォルダ内に格納されていた画像データから生成されたサムネイル画像データが含まれている。
　【０１１０】
　次に、表示処理部５０４が、タッチパネル６００上に図１３に示すようなサムネイル画像を表示することで、使用者からサムネイル画像の選択を受け付ける（ステップＳ１９０４）。
　【０１１１】
　そして、使用者が、図１３又は図１４で示した画面から、所望のサムネイルを選択して「ＯＫ」ボタンを選択すると、画像データ要求部１８１１は、選択されたサムネイル画像データの生成元の画像データの送信要求を、管理サーバ２８ａに対して行う（ステップＳ１９０５）。
　【０１１２】
　次に、管理サーバ２８ａは、複合機１８００からの画像データの送信要求を受信処理する（ステップＳ１９１３）。
　【０１１３】
　そして、管理サーバ２８ａは、受信した送信要求に対応する画像データを、複合機１８００に対して送信する（ステップＳ１９１４）。
　【０１１４】
　次に、複合機１８００の画像取得部１８０１は、管理サーバ２８ａから、詮索されたサムネイル画像の生成元の画像データを取得する（ステップＳ１９０６）。
　【０１１５】
　そして、表示処理部５０４は、タッチパネル６００上に図１５に示すようなメイン画面を表示する（ステップＳ１９０７）。これにより、画像データの印刷が可能となる。
　【０１１６】
　上述した処理手順を行うことで、外部装置の記憶部に格納されていた画像データにアクセスして、印刷することが可能となる。なお、本実施の形態では、プリンタ装置２３やファクシミリ装置２４等のように、常時ネットワークに接続されている外部装置の場合も、図１９で示した管理サーバ２８ａと同様の処理を行うこととして、説明を省略する。
　【０１１７】
　本実施の形態において、複合機１８００と外部装置の間でサムネイル画像データの送受信を行った後、使用者に選択されたサムネイル画像データの生成元の画像データの送受信を行うこととした。このような処理を行うことで、送受信するデータ量が低減するため、ネットワークにかかる負荷が軽減されると共に、複合機１８００で使用者の要求に応じて迅速にサムネイル画像の一覧を表示することが可能となる。
　【０１１８】
　なお、上述した第２の実施の形態では、外部装置がサムネイル画像データを送信した後、複合機１８００において利用者に当該サムネイル画像を選択された場合に、複合機１８００が、当該サムネイル画像の生成元である画像データを外部装置から取得することとした。しかしながら、このような画像データの取得手順に制限するものではなく、例えば、複合機が、サムネイル画像データを表示する前に、サムネイル画像データと当該サムネイル画像データの生成元である画像データとを同時に外部装置から取得しても良い。
　【０１１９】
　また、上述した実施形態の複合機で実行される印刷処理プログラムを、インターネット等のネットワークに接続されたコンピュータ上に格納し、ネットワーク経由でダウンロードさせることにより提供するように構成しても良い。また、本実施形態の複合機で実行される印刷処理プログラムをインターネット等のネットワーク経由で提供または配布するように構成しても良い。
　【０１２０】
　また、上述した実施形態の印刷処理プログラムを、ＲＯＭ等に予め組み込んで提供するように構成してもよい。
　【０１２１】
　本実施の形態の複合機で実行される印刷処理プログラムは、上述した各部を含むモジュール構成となっており、実際のハードウェアとしてはＣＰＵが上記記録媒体から印刷処理プログラムを読み出して実行することにより上記各部が主記憶装置上にロードされ、上述した各部が主記憶装置上に生成されるようになっている。
　【０１２２】
　また、上記プログラムは、ＣＤ−ＲＯＭ等の記録媒体に記録して流通させることも可能である。
　【産業上の利用可能性】
　【０１２３】
　以上のように、本発明にかかる印刷装置、印刷方法、及び印刷用プログラムは、ネットワークに接続された外部装置に格納された画像データの閲覧、印刷に適している。
　【符号の説明】
　【０１２４】
　１０、１７００　閲覧・取得管理ＤＢ
　１１　ＬＡＮ
　１２　インターネット
　１３　携帯電話網
　１４　基地局
　２１、２２、１８００　複合機
　２３　プリンタ装置
　２４　ファクシミリ装置
　２５　スキャナ
　２６　ＰＣ
　２７　デジタルテレビ
　２８ａ、２８ｂ　管理サーバ
　２９　カーナビゲーション装置
　３０　携帯電話機
　３１　ゲーム機
　３２　デジタルカメラ
　３３　ノートＰＣ
　８０ａ〜ｆ　表示領域
　９９　「電子文書」キー
　９９’　「電子文書」キー
　３１０　コントローラ
　３１１　ＣＰＵ
　３１２　ＭＥＭ−Ｐ
　３１２ａ　ＲＯＭ
　３１２ｂ　ＲＡＭ
　３１３　ＮＢ
　３１４　ＳＢ
　３１５　バス
　３１６　ＡＳＩＣ
　３１７　ＭＥＭ−Ｃ
　３１８　ＨＤＤ
　３２０　操作部
　３３０　ＦＣＵ
　３４０　ＵＳＢ
　３５０　ＩＥＥＥ１３９４インターフェース
　３６０　エンジン部
　５０１　通信処理部
　５０２、１８１１　画像取得部
　５０３　サムネイル生成部
　５０４　表示処理部
　５０５　選択部
　５０６　印刷部
　５１１、１８１１　画像データ要求部
　５１２、１８１２　フォルダデータ要求部
　５１３、１８１４　フォルダデータ取得部
　６００　タッチパネル
　６０１　テンキー
　６０２　スタートキー
　６０３　クリア／ストップキー
　６０４　プログラムキー
　６０５　リセット／予熱キー
　６０６　割り込みキー
　６０７　試しコピーキー
　６０８　設定キー
　１８１３　サムネイル要求部
　１８１５　サムネイル取得部
　【先行技術文献】
　【特許文献】
　【０１２５】
　【特許文献１】特開２００６−０１８８５３号公報
（５７）【特許請求の範囲】
　【請求項１】
　ファイルを格納可能なフォルダを有する外部装置とネットワークを介して接続可能であり、タッチパネルを含む操作部を有する印刷装置であって、
　前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタン
であり前記一覧画面に表示されたファイルの一覧の中から印刷させるファイルを決定するための前記ボタン
　前記一覧画面上に表示されているファイルの一覧の中から印刷させるファイルの選択を受け付けた後、前記一覧画面に含まれる前記ボタンが選択されたことに応じて、前記
一覧画面で選択されたファイルの
片面印刷か
か
　前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷手段と、
　を有することを特徴とする印刷装置。
　【請求項２】
　前記フォルダの選択を受け付ける選択受付画面を前記タッチパネル上に表示させる第３の表示手段をさらに有し、
　前記選択受付画面で前記フォルダの選択を受け付けると、前記第１の表示手段が前記一覧画面を前記タッチパネル上に表示させること
　を特徴とする請求項１に記載の印刷装置。
　【請求項３】
　前記一覧画面は、前記外部装置の前記フォルダに格納されているファイル名の一覧を表示する画面であり、該ファイル名の一覧の中から前記印刷装置で印刷させるファイルの選択を受け付ける画面であること
　を特徴とする請求項１又は２に記載の印刷装置。
　【請求項４】
　前記一覧画面には、それぞれのファイルの作成日時が含まれていること
　を特徴とする請求項１乃至３のいずれか一項に記載の印刷装置。
　【請求項５】
　前記ネットワークは、インターネットであること
　を特徴とする請求項１乃至４のいずれか一項に記載の印刷装置。
　【請求項６】
　前記外部装置の前記フォルダは、少なくともＪＰＥＧ形式のファイルを含むこと
　を特徴とする請求項１乃至５のいずれか一項に記載の印刷装置。
　【請求項７】
　前記外部装置の前記フォルダは、少なくともプレゼンテーションファイル形式のファイルを含むこと
　を特徴とする請求項１乃至６のいずれか一項に記載の印刷装置。
　【請求項８】
　ファイルを格納可能なフォルダを有する外部装置とネットワークを介して接続可能であり、タッチパネルを含む操作部を有する印刷装置における、ファイルの印刷出力方法であって、
　前記印刷装置が、前記外部装置の前記フォルダに格納されているファイルの一覧の中から前記印刷装置で印刷させるファイルの選択を受け付ける一覧画面であって、印刷設定の入力を受け付ける印刷設定画面を表示させるためのボタン
であり前記一覧画面に表示されたファイルの一覧の中から印刷させるファイルを決定するための前記ボタン
　前記印刷装置が、前記一覧画面上に表示されているファイルの一覧の中から印刷させるファイルの選択を受け付けた後、前記一覧画面に含まれる前記ボタンが選択されたことに応じて、前記
一覧画面で選択されたファイルの
片面印刷か
か
　前記印刷装置が、前記タッチパネル上に表示された前記印刷設定画面に対する印刷設定の入力を受け付けた後、前記操作部上でのユーザ操作に応じて、前記外部装置の有する前記フォルダに格納されたファイルのうちの選択されたファイルを、入力を受け付けた前記印刷設定に基づいて印刷出力する印刷ステップと、
　を有する印刷出力方法。